(57)【要約】【課題】ユーザの利便性を高めることができる情報処理システムを得る。【解決手段】本発明の情報処理システムは、端末装置と、情報処理装置とを備える。端末装置は、情報処理装置の第１の解説情報、および第１の解説情報に対応する第１の設定関連情報を表示する第１の表示部と、第１の表示部が表示する第１の解説情報に対応する第１の情報識別子を情報処理装置に供給するとともに、第１の情報識別子に対応する第１の情報を受け取る第１の通信部と、第１の通信部が受け取った、第１の情報識別子に対応する第１の情報に基づいて、第１の設定関連情報を第１の表示部に表示させる制御部とを有する。情報処理装置は、第１の情報識別子を受け取るとともに、第１の情報識別子に対応する第１の情報を端末装置に供給する第２の通信部と、第２の通信部が受け取った第１の情報識別子に基づいて第１の情報を生成する生成部とを有する。【選択図】図５
2018206360.tif 000002
【特許請求の範囲】
【請求項１】
端末装置と、
情報処理装置と
を備え、
前記端末装置は、
前記情報処理装置の第１の解説情報、および前記第１の解説情報に対応する第１の設定関連情報を表示する第１の表示部と、
前記第１の表示部が表示する前記第１の解説情報に対応する第１の情報識別子を前記情報処理装置に供給するとともに、前記情報処理装置から供給された、前記第１の情報識別子に対応する第１の情報を受け取る第１の通信部と、
前記第１の通信部が受け取った、前記第１の情報識別子に対応する前記第１の情報に基づいて、前記第１の設定関連情報を前記第１の表示部に表示させる制御部と
を有し、
前記情報処理装置は、
前記端末装置から供給された前記第１の情報識別子を受け取るとともに、前記第１の情報識別子に対応する前記第１の情報を前記端末装置に供給する第２の通信部と、
前記第２の通信部が受け取った前記第１の情報識別子に基づいて、前記第１の情報識別子に対応する前記第１の情報を生成する生成部と
を有する
情報処理システム。
【請求項２】
前記第１の通信部は、前記端末装置が前記第２の通信部による第１の無線通信の通信可能範囲内に配置されたときに、前記第１の無線通信を用いて前記第１の情報識別子を前記第２の通信部に供給し、
前記第２の通信部は、第２の無線通信を用いて前記第１の情報を前記第１の通信部に供給する
請求項１に記載の情報処理システム。
【請求項３】
前記第２の通信部は、さらに、前記第１の無線通信を用いて、前記第２の無線通信を用いて通信するための通信設定情報を前記第１の通信部に供給し、
前記第１の通信部は、前記通信設定情報に基づいて通信設定を行う
請求項２に記載の情報処理システム。
【請求項４】
前記第１の情報は、前記第１の設定関連情報であり、
前記第１の通信部は、前記第１の設定関連情報を受け取り、
前記制御部は、前記第１の設定関連情報を前記第１の表示部に表示させる
請求項１から請求項３のいずれか一項に記載の情報処理システム。
【請求項５】
前記第１の設定関連情報は、ＨＴＭＬ形式で記述されており、
前記生成部は、前記第１の情報識別子と、前記第１の設定関連情報に対応するＵＲＬ情報とが関連づけて記憶されたデータベースを有し、前記第２の通信部が受け取った前記第１の情報識別子に基づいて、前記データベースを利用して前記ＵＲＬ情報を取得し、前記ＵＲＬ情報に基づいて前記第１の設定関連情報を生成する
請求項４に記載の情報処理システム。
【請求項６】
前記第１の設定関連情報は、前記情報処理装置の装置設定を行うための装置設定情報と、前記情報処理装置の装置設定を確認するための設定確認情報とを含み、
前記ＵＲＬ情報は、前記装置設定情報に対応する第１のＵＲＬ情報と、前記設定確認情報に対応する第２のＵＲＬ情報とを含み、
前記第１の通信部は、前記端末装置に対応する端末識別子を前記第２の通信部に供給し、
前記第２の通信部は、前記端末装置から供給された前記端末識別子を受け取り、
前記生成部は、前記第２の通信部が受け取った前記第１の情報識別子および前記端末識別子に基づいて、前記データベースを利用して、前記第１のＵＲＬ情報または前記第２のＵＲＬ情報を取得し、前記第１のＵＲＬ情報および前記第２のＵＲＬ情報のうちの取得されたＵＲＬ情報に基づいて、対応する前記装置設定情報または前記設定確認情報を生成する
請求項５に記載の情報処理システム。
【請求項７】
前記生成部は、
前記端末識別子が、前記情報処理装置の装置設定を行うことが許可されたユーザに対応づけられている場合に、前記データベースを利用して、前記第１のＵＲＬ情報を取得し、
前記端末識別子が、前記情報処理装置の装置設定を行うことが禁止されたユーザに対応づけられている場合に、前記データベースを利用して、前記第２のＵＲＬ情報を取得する
請求項６に記載の情報処理システム。
【請求項８】
前記データベースには、前記第１の情報識別子と、前記第１の設定関連情報に対応するＵＲＬ情報と、フラグ情報とが関連づけて記憶され、
前記生成部は、前記第２の通信部が受け取った前記第１の情報識別子に基づいて、前記データベースを利用して、前記フラグ情報に基づいて、選択的に前記第１の設定関連情報を生成する
請求項５に記載の情報処理システム。
【請求項９】
前記第１の設定関連情報は、前記情報処理装置において実行されるジョブの設定を行うためのジョブ設定情報を含む
請求項１から請求項５のいずれか一項に記載の情報処理システム。
【請求項１０】
前記第１の設定関連情報は、第１の設定関連画面を含み、
前記第１の情報は、前記第１の設定関連画面に対応する第１の画面識別子であり、
前記第１の通信部は、前記第１の画面識別子を受け取り、
前記制御部は、前記第１の画面識別子と、前記第１の設定関連画面とが関連づけて記憶された画像データベースを有し、前記第１の通信部が受け取った前記第１の画面識別子に基づいて、前記画像データベースを利用して前記第１の設定関連画面を取得し、前記第１の設定関連画面を前記第１の表示部に表示させる
請求項１から請求項３のいずれか一項に記載の情報処理システム。
【請求項１１】
前記生成部は、前記第１の情報識別子と前記第１の画面識別子とが関連づけて記憶されたデータベースを有し、前記第２の通信部が受け取った前記第１の情報識別子に基づいて、前記データベースを利用して前記第１の画面識別子を取得する
請求項１０に記載の情報処理システム。
【請求項１２】
前記第１の設定関連画面は、前記情報処理装置の装置設定を行うための装置設定画面と、前記情報処理装置の装置設定を確認するための設定確認画面とを含み、
前記第１の通信部は、前記端末装置に対応する端末識別子を前記第２の通信部に供給し、
前記第２の通信部は、前記端末装置から供給された前記端末識別子を受け取り、
前記生成部は、前記第２の通信部が受け取った前記第１の情報識別子および前記端末識別子に基づいて、前記データベースを利用して、前記装置設定画面に対応する前記第１の画面識別子または前記設定確認画面に対応する前記第１の画面識別子を取得する
請求項１１に記載の情報処理システム。
【請求項１３】
前記制御部は、
履歴データベースを有し、前記第１の通信部が前記第１の画面識別子を受け取ったときに、前記第１の情報識別子と前記第１の画面識別子とを関連づけて前記履歴データベースに登録し、
前記第１の情報識別子と前記第１の画面識別子とを関連づけて登録した後に前記第１の表示部が前記第１の解説情報を表示する場合に、前記第１の解説情報に対応する前記第１の情報識別子に基づいて、前記履歴データベースを用いて、前記第１の画面識別子を取得し、前記第１の画面識別子に対応する前記第１の設定関連画面を前記第１の表示部に表示させる
請求項１０から請求項１２のいずれか一項に記載の情報処理システム。
【請求項１４】
前記第１の解説情報は、前記情報処理装置の装置情報と対応づけられ、
前記第１の通信部は、前記装置情報を前記第２の通信部に供給し、
前記第２の通信部は、前記端末装置から供給された前記装置情報を受け取り、
前記生成部は、前記第２の通信部が受け取った前記装置情報に基づいて、前記第１の通信部に対して前記第１の画面識別子を供給するかどうかを判断する
請求項１０から請求項１３のいずれか一項に記載の情報処理システム。
【請求項１５】
前記装置情報は、前記情報処理装置のモデル名についての情報、および前記情報処理装置にインストールされたソフトウェアのバージョンについての情報のうちの一方または双方を含む
請求項１４に記載の情報処理システム。
【請求項１６】
前記第１の通信部は、前記端末装置のプラットフォームを示すプラットフォーム識別子を前記情報処理装置に供給し、
前記第２の通信部は、前記端末装置から供給された前記プラットフォーム識別子を受け取り、
前記生成部は、前記第２の通信部が受け取った前記第１の情報識別子および前記プラットフォーム識別子に基づいて、前記第１の情報識別子に対応する前記第１の情報を生成する
請求項１から請求項３のいずれか一項に記載の情報処理システム。
【請求項１７】
前記生成部は、前記プラットフォーム識別子に基づいて、前記第１の情報識別子に対応する前記第１の設定関連情報または前記第１の情報識別子に対応する第１の画面識別子を前記第１の情報として生成し、
前記制御部は、前記第１の通信部が前記第１の設定関連情報を受け取った場合には、前記第１の設定関連情報を前記第１の表示部に表示させ、前記第１の通信部が前記第１の画面識別子を受け取った場合には、前記第１の画面識別子に対応する第１の設定関連画面を前記第１の表示部に表示させる
請求項１６に記載の情報処理システム。
【請求項１８】
前記第１の設定関連情報は、ＨＴＭＬ形式で記述されており、
前記生成部は、前記第１の情報識別子と、前記第１の設定関連情報に対応するＵＲＬ情報と、前記第１の画面識別子とが関連づけて記憶されたデータベースを有し、前記第２の通信部が受け取った前記第１の情報識別子および前記プラットフォーム識別子に基づいて、前記データベースを利用して前記ＵＲＬ情報または前記第１の画面識別子を取得し、前記ＵＲＬ情報を取得した場合には、前記ＵＲＬ情報に基づいて前記第１の設定関連情報を生成する
請求項１７に記載の情報処理システム。
【請求項１９】
前記プラットフォーム識別子は、前記端末装置において用いられるオペレーティングシステムの識別子であり、
前記生成部は、前記端末装置および前記情報処理装置において用いられるオペレーティングシステムが互いに互換性がある場合には、前記第１の画面識別子を前記第１の情報として生成し、前記端末装置および前記情報処理装置において用いられるオペレーティングシステムが互いに互換性がない場合には、前記第１の設定関連情報を前記第１の情報として生成する
請求項１７または請求項１８に記載の情報処理システム。
【請求項２０】
前記端末装置は、ユーザの操作を受け付ける操作部をさらに有し、
前記第１の設定関連情報は、前記情報処理装置の装置設定を行うための装置設定情報を含み、
前記第１の通信部は、さらに、前記第１の表示部が前記装置設定情報を表示している場合に、前記操作部からの指示に基づいて、前記第２の通信部に装置設定の指示を供給する
請求項１から請求項１９のいずれか一項に記載の情報処理システム。
【請求項２１】
前記第１の表示部は、さらに、前記情報処理装置の第２の解説情報、および前記第２の解説情報に対応する第２の設定関連情報を表示し、
前記第１の通信部は、さらに、前記第１の表示部が表示する前記第２の解説情報に対応する第２の情報識別子を前記情報処理装置に供給するとともに、前記情報処理装置から供給された、前記第２の情報識別子に対応する第２の情報を受け取り、
前記制御部は、さらに、前記第１の通信部が受け取った、前記第２の情報識別子に対応する前記第２の情報に基づいて、前記第２の設定関連情報を前記第１の表示部に表示させる
請求項１から請求項２０のいずれか一項に記載の情報処理システム。
【請求項２２】
情報処理装置の第１の解説情報、および前記第１の解説情報に対応する第１の設定関連情報を表示する第１の表示部と、
前記第１の表示部が表示する前記第１の解説情報に対応する第１の情報識別子を前記情報処理装置に供給するとともに、前記情報処理装置から供給された、前記第１の情報識別子に対応する第１の情報を受け取る第１の通信部と、
前記第１の通信部が受け取った、前記第１の情報識別子に対応する前記第１の情報に基づいて、前記第１の設定関連情報を前記第１の表示部に表示させる制御部と
を備えた端末装置。
【請求項２３】
画像形成部と、
端末装置から供給された、第１の解説情報に対応する第１の情報識別子を受け取るとともに、前記第１の情報識別子に対応する第１の情報を前記端末装置に供給する第２の通信部と、
前記第２の通信部が受け取った前記第１の情報識別子に基づいて、前記第１の情報識別子に対応する前記第１の情報を生成する生成部と
を備えた画像処理装置。
【発明の詳細な説明】
【技術分野】
【０００１】
本発明は、情報処理システム、情報処理システムにおいて用いられる端末装置、および情報処理システムにおいて用いられる画像処理装置に関する。
【背景技術】
【０００２】
近年、電子機器等の操作マニュアルはしばしば電子化される。また、このような操作マニュアルは、モバイル端末においてしばしば閲覧される。特許文献１には、モバイル端末に表示された操作マニュアルにおいて選択された機能に応じて、画像形成装置の操作パネルに操作画面を表示させる画像形成システムが開示されている。
【先行技術文献】
【特許文献】
【０００３】
【特許文献１】特開２０１５−１１８４３７号公報
【発明の概要】
【発明が解決しようとする課題】
【０００４】
ところで、電子機器では、一般に、ユーザの利便性が高いことが望まれており、さらなる利便性の向上が期待されている。
【０００５】
ユーザの利便性を高めることができる情報処理システム、端末装置、および画像処理装置を提供することが望ましい。
【課題を解決するための手段】
【０００６】
本発明の一実施の形態における情報処理システムは、端末装置と、情報処理装置とを備えている。端末装置は、第１の表示部と、第１の通信部と、制御部とを有している。第１の表示部は、情報処理装置の第１の解説情報、および第１の解説情報に対応する第１の設定関連情報を表示するものである。第１の通信部は、第１の表示部が表示する第１の解説情報に対応する第１の情報識別子を情報処理装置に供給するとともに、情報処理装置から供給された、第１の情報識別子に対応する第１の情報を受け取るものである。制御部は、第１の通信部が受け取った、第１の情報識別子に対応する第１の情報に基づいて、第１の設定関連情報を第１の表示部に表示させるものである。情報処理装置は、第２の通信部と、生成部とを備えている。第２の通信部は、端末装置から供給された第１の情報識別子を受け取るとともに、第１の情報識別子に対応する第１の情報を端末装置に供給するものである。生成部は、第２の通信部が受け取った第１の情報識別子に基づいて、第１の情報識別子に対応する第１の情報を生成するものである。
【０００７】
本発明の一実施の形態における端末装置は、第１の表示部と、第１の通信部と、制御部とを備えている。第１の表示部は、情報処理装置の第１の解説情報、および第１の解説情報に対応する第１の設定関連情報を表示するものである。第１の通信部は、第１の表示部が表示する第１の解説情報に対応する第１の情報識別子を情報処理装置に供給するとともに、情報処理装置から供給された、第１の情報識別子に対応する第１の情報を受け取るものである。制御部は、第１の通信部が受け取った、第１の情報識別子に対応する第１の情報に基づいて、第１の設定関連情報を第１の表示部に表示させるものである。
【０００８】
本発明の一実施の形態における画像処理装置は、画像形成部と、第２の通信部と、生成部とを備えている。第２の通信部は、端末装置から供給された、第１の解説情報に対応する第１の情報識別子を受け取るとともに、第１の情報識別子に対応する第１の情報を端末装置に供給するものである。生成部は、第２の通信部が受け取った第１の情報識別子に基づいて、第１の情報識別子に対応する第１の情報を生成するものである。
【発明の効果】
【０００９】
本発明の一実施の形態における情報処理システムおよび端末装置によれば、第１の表示部が表示する第１の解説情報に対応する第１の情報識別子を情報処理装置に供給し、情報処理装置から供給された、第１の情報識別子に対応する第１の情報に基づいて、第１の設定関連情報を第１の表示部に表示させるようにしたので、ユーザの利便性を高めることができる。
【００１０】
本発明の一実施の形態における情報処理システムおよび画像処理装置によれば、端末装置から供給された、第１の解説情報に対応する第１の情報識別子を受け取り、第１の情報識別子に基づいて第１の情報識別子に対応する第１の情報を生成し、第１の情報を端末装置に供給するようにしたので、ユーザの利便性を高めることができる。
【図面の簡単な説明】
【００１１】
【図１】一実施の形態に係る情報処理システムの一構成例を表すブロック図である。
【図２】マニュアルページの一例を表す説明図である。
【図３】装置設定ページの一例を表す説明図である。
【図４】設定確認ページの一例を表す説明図である。
【図５】第１の実施の形態に係る画像処理装置およびモバイル端末の一構成例を表すブロック図である。
【図６】図５に示した情報管理部が管理する無線ネットワーク情報の一例を表す説明図である。
【図７】図５に示した情報管理部が管理するユーザ情報テーブルの一例を表す説明図である。
【図８】図５に示した情報管理部が管理するＵＲＬ情報テーブルの一例を表す説明図である。
【図９】図５に示した端末情報制御部が管理するアプリケーション識別子テーブルの一例を表す説明図である。
【図１０】図５に示したＮＦＣ通信部が管理するアプリケーション識別子テーブルの一例を表す説明図である。
【図１１】図５に示したＮＤＥＦメッセージ領域の一構成例を表す説明図である。
【図１２】図１１に示したレコードの一構成例を表す説明図である。
【図１３】図５に示した無線ネットワーク通信部が管理する無線ネットワーク情報の一例を表す説明図である。
【図１４Ａ】第１の実施の形態に係る情報処理システムの一動作例を表すシーケンス図である。
【図１４Ｂ】第１の実施の形態に係る情報処理システムの一動作例を表す他のシーケンス図である。
【図１５】第１の実施の形態に係る情報処理システムの一動作例を表すフローチャートである。
【図１６】図１５に示した起動判定処理の一例を表すフローチャートである。
【図１７Ａ】図１５に示した書込処理の一例を表すフローチャートである。
【図１７Ｂ】図１５に示した書込処理の一例を表す他のフローチャートである。
【図１８】第１の実施の形態に係る情報処理システムの一動作例を表す他のフローチャートである。
【図１９】第２の実施の形態に係るマニュアルページの一例を表す説明図である。
【図２０】第２の実施の形態に係るジョブ設定ページの一例を表す説明図である。
【図２１】第２の実施の形態に係る画像処理装置の表示画面の一例を表す説明図である。
【図２２】第２の実施の形態に係る画像処理装置の表示画面の他の例を表す説明図である。
【図２３】第２の実施の形態に係る画像処理装置の表示画面の他の例を表す説明図である。
【図２４】第２の実施の形態に係る画像処理装置およびモバイル端末の一構成例を表すブロック図である。
【図２５】図２４に示した情報管理部が管理するＵＲＬ情報テーブルの一例を表す説明図である。
【図２６Ａ】第２の実施の形態に係る書込処理の一例を表すフローチャートである。
【図２６Ｂ】第２の実施の形態に係る書込処理の一例を表す他のフローチャートである。
【図２６Ｃ】第２の実施の形態に係る書込処理の一例を表す他のフローチャートである。
【図２７】第３の実施の形態に係る画像処理装置の表示画面の一例を表す説明図である。
【図２８】第３の実施の形態に係る画像処理装置およびモバイル端末の一構成例を表すブロック図である。
【図２９】図２８に示した情報管理部が管理するＵＲＬ情報テーブルの一例を表す説明図である。
【図３０Ａ】第３の実施の形態に係る書込処理の一例を表すフローチャートである。
【図３０Ｂ】第３の実施の形態に係る書込処理の一例を表す他のフローチャートである。
【図３１】装置設定画面の一例を表す説明図である。
【図３２】設定確認画面の一例を表す説明図である。
【図３３】第４の実施の形態に係る画像処理装置およびモバイル端末の一構成例を表すブロック図である。
【図３４】図３３に示した情報管理部が管理するＵＲＬ情報テーブルの一例を表す説明図である。
【図３５】図３３に示したＮＤＥＦメッセージ領域の一構成例を表す説明図である。
【図３６Ａ】第４の実施の形態に係る情報処理システムの一動作例を表すシーケンス図である。
【図３６Ｂ】第４の実施の形態に係る情報処理システムの一動作例を表す他のシーケンス図である。
【図３７Ａ】第４の実施の形態に係る情報処理システムの他の動作例を表すシーケンス図である。
【図３７Ｂ】第４の実施の形態に係る情報処理システムの他の動作例を表す他のシーケンス図である。
【図３８Ａ】第４の実施の形態に係る書込処理の一例を表すフローチャートである。
【図３８Ｂ】第４の実施の形態に係る書込処理の一例を表す他のフローチャートである。
【図３８Ｃ】第４の実施の形態に係る書込処理の一例を表す他のフローチャートである。
【図３９】第４の実施の形態に係る情報処理システムの一動作例を表す他のフローチャートである。
【図４０】第５の実施の形態に係る画像処理装置およびモバイル端末の一構成例を表すブロック図である。
【図４１】図４０に示した履歴データベースの一例を表す説明図である。
【図４２】第５の実施の形態に係る情報処理システムの一動作例を表すシーケンス図である。
【図４３Ａ】第５の実施の形態に係る情報処理システムの他の動作例を表すシーケンス図である。
【図４３Ｂ】第５の実施の形態に係る情報処理システムの他の動作例を表す他のシーケンス図である。
【図４４】第６の実施の形態に係る画像処理装置およびモバイル端末の一構成例を表すブロック図である。
【図４５】図３３に示したＮＤＥＦメッセージ領域の一構成例を表す説明図である。
【図４６Ａ】第６の実施の形態に係る情報処理システムの一動作例を表すシーケンス図である。
【図４６Ｂ】第６の実施の形態に係る情報処理システムの一動作例を表す他のシーケンス図である。
【図４７Ａ】第６の実施の形態に係る情報処理システムの他の動作例を表すシーケンス図である。
【図４７Ｂ】第６の実施の形態に係る情報処理システムの他の動作例を表す他のシーケンス図である。
【図４８Ａ】第６の実施の形態に係る書込処理の一例を表すフローチャートである。
【図４８Ｂ】第６の実施の形態に係る書込処理の一例を表す他のフローチャートである。
【図４８Ｃ】第６の実施の形態に係る書込処理の一例を表す他のフローチャートである。
【図４８Ｄ】第６の実施の形態に係る書込処理の一例を表す他のフローチャートである。
【発明を実施するための形態】
【００１２】
以下、本発明の実施の形態について、図面を参照して詳細に説明する。なお、説明は以下の順序で行う。
１．第１の実施の形態（モバイル端末に装置設定ページおよび設定確認ページを表示させる例）
２．第２の実施の形態（モバイル端末にジョブ設定ページを表示させる例）
３．第３の実施の形態（モバイル端末に装置設定ページを選択的に表示させる例）
４．第４の実施の形態（モバイル端末に、画像処理装置に表示される画面と同様の設定関連画面を表示させる例）
５．第５の実施の形態（履歴に基づいて、モバイル端末に設定関連画面を表示させる例）
６．第６の実施の形態（画像処理装置の装置情報に基づいて、モバイル端末に設定関連画面を表示させる例）
【００１３】
＜１．第１の実施の形態＞
［構成例］
図１は、本発明の第１の実施の形態に係る情報処理システム（情報処理システム１）の一構成例を表すものである。なお、本開示の実施の形態に係る端末装置および画像処理装置は、本実施の形態により具現化されるので、併せて説明する。情報処理システム１は、サーバ装置８と、アクセスポイント９と、画像処理装置１０と、モバイル端末３０とを備えている。アクセスポイント９および画像処理装置１０は、有線ネットワークＮＥＴに接続されている。そして、この有線ネットワークＮＥＴは、インターネットＩＮＥＴを介してサーバ装置８に接続されている。
【００１４】
サーバ装置８は、画像処理装置１０の操作マニュアルのマニュアルページＭＰを提供するものである。アクセスポイント９は、無線ＬＡＮ（Local Area Network）のアクセスポイントである。画像処理装置１０は、コピー機能、ファックス機能、スキャン機能、プリント機能などを有する、いわゆる多機能周辺装置（ＭＦＰ；Multi Function Peripheral）である。また、画像処理装置１０は、画像処理装置１０の装置設定を行うための装置設定ページＳＰＡ、および画像処理装置１０の装置設定を確認するための設定確認ページＳＰＢを提供する機能をも有している。モバイル端末３０は、例えばスマートフォンやタブレット端末などの携帯型の端末装置である。モバイル端末３０は、近距離無線通信（ＮＦＣ；Near Field Communication）Ｃ１および無線ネットワーク通信Ｃ２を用いて、画像処理装置１０との間で通信を行うことができる。また、モバイル端末３０は、無線ＬＡＮを用いてアクセスポイント９に接続することにより、このアクセスポイント９を介して、サーバ装置８との間で通信を行うことができるようになっている。
【００１５】
この構成により、モバイル端末３０は、サーバ装置８から供給された、画像処理装置１０の操作マニュアルのマニュアルページＭＰを表示するとともに、画像処理装置１０から供給された、装置設定ページＳＰＡおよび設定確認ページＳＰＢを表示することができるようになっている。
【００１６】
図２は、モバイル端末３０がマニュアルページＭＰを表示しているときの、表示画面の一例を表すものである。この例では、モバイル端末３０は、ネットワーク設定についての操作方法に係るマニュアルページＭＰを表示している。マニュアルページＭＰは、ＨＴＭＬ（HyperText Markup Language）を用いて記述されており、ユーザは、ブラウザソフトウェアを起動することにより、マニュアルページＭＰを閲覧することができるようになっている。なお、この例では、操作マニュアルは、サーバ装置８から供給される、いわゆるオンラインマニュアルとしたが、これに限定されるものではなく、例えば、あらかじめモバイル端末３０にインストールされたものであってもよい。
【００１７】
図３は、モバイル端末３０が装置設定ページＳＰＡを表示しているときの、表示画面の一例を表すものである。この例では、モバイル端末３０は、ネットワーク設定についての装置設定ページＳＰＡを表示している。すなわち、図３に示した装置設定ページＳＰＡは、図２に示したマニュアルページＭＰに対応するものである。装置設定ページＳＰＡは、ＨＴＭＬを用いて記述されている。
【００１８】
図４は、モバイル端末３０が設定確認ページＳＰＢを表示しているときの、表示画面の一例を表すものである。この例では、モバイル端末３０は、ネットワーク設定についての設定確認ページＳＰＢを表示している。設定確認ページＳＰＢは、装置設定ページＳＰＡと同様に、ＨＴＭＬを用いて記述されている。
【００１９】
情報処理システム１では、モバイル端末３０が、装置設定に関するマニュアルページＭＰを表示しているときに、ユーザが、モバイル端末３０を画像処理装置１０にかざすことにより、モバイル端末３０は、表示しているマニュアルページＭＰに対応する装置設定ページＳＰＡまたは設定確認ページＳＰＢを表示することができる。
【００２０】
具体的には、モバイル端末３０のユーザが、画像処理装置１０の管理者である場合には、ユーザが、図２に示したマニュアルページＭＰを表示しているモバイル端末３０を画像処理装置１０にかざすことにより、モバイル端末３０は、図３に示したような装置設定ページＳＰＡを表示する。そして、ユーザは、このような装置設定ページＳＰＡが表示されたモバイル端末３０を操作することにより、画像処理装置１０の装置設定を行うことができるようになっている。
【００２１】
また、モバイル端末３０のユーザが、一般ユーザである場合には、ユーザが、図２に示したマニュアルページＭＰを表示しているモバイル端末３０を画像処理装置１０にかざすことにより、モバイル端末３０は、図４に示したような設定確認ページＳＰＢを表示する。これにより、ユーザは、画像処理装置１０の装置設定を確認することができるようになっている。
【００２２】
これ以降、装置設定ページＳＰＡおよび設定確認ページＳＰＢのうちの一方を表すものとして、“設定関連ページＳＰ”を適宜用いる。
【００２３】
図５は、画像処理装置１０およびモバイル端末３０の一構成例を表すものである。
【００２４】
（画像処理装置１０）
画像処理装置１０は、ＮＦＣリーダライタ１１と、有線ネットワーク通信部１２と、無線ネットワーク通信部１３と、ＷＥＢサーバ１４と、装置設定管理部１５と、操作部１６と、表示部１７と、画像読取部１８と、画像形成部１９と、ＦＡＸ通信部２１と、情報管理部２２と、制御部２３とを有している。
【００２５】
ＮＦＣリーダライタ１１は、モバイル端末３０との間で近距離無線通信Ｃ１を行うものである。
【００２６】
有線ネットワーク通信部１２は、有線ネットワークＮＥＴに接続するためにネットワークインタフェースである。
【００２７】
無線ネットワーク通信部１３は、モバイル端末３０との間で、無線ＬＡＮを用いて無線ネットワーク通信Ｃ２を行うものである。この無線ネットワーク通信部１３は、ＷｉＦｉダイレクト（登録商標）方式をサポートしている。これにより、画像処理装置１０は、アクセスポイントを経由せずに、モバイル端末３０との間で、ピアツーピア接続により無線通信を行うことができるようになっている。
【００２８】
ＷＥＢサーバ１４は、無線ネットワーク通信部１３と通信を行うデバイス（この例ではモバイル端末３０）に対して、設定関連ページＳＰを提供するものである。この設定関連ページＳＰは、いわゆるＷＥＢページであり、ＨＴＭＬを用いて記述されたものである。ＷＥＢサーバ１４は、装置設定管理部１５が管理している、画像処理装置１０の装置設定に基づいて、設定関連ページＳＰを生成するようになっている。
【００２９】
装置設定管理部１５は、画像処理装置１０の装置設定を管理するものである。装置設定は、例えば、不揮発性の記憶装置に記憶される。ユーザは、例えば、操作部１６を操作することにより、装置設定管理部１５が管理する画像処理装置１０の装置設定を変更することができる。また、ユーザは、例えば、装置設定ページＳＰＡが表示されたモバイル端末３０を操作することにより、装置設定管理部１５が管理する画像処理装置１０の装置設定を変更することができるようになっている。
【００３０】
操作部１６は、ユーザの操作を受け付けるものであり、例えば各種ボタンやタッチパネルなどを用いて構成されるものである。表示部１７は、画像処理装置１０の動作状態などを表示するものであり、例えば、液晶ディスプレイや各種インジケータを用いて構成されるものである。
【００３１】
画像読取部１８は、紙などの読取媒体に記録された情報を読み取るものであり、例えばＣＩＳ（Contact Image Sensor）を用いて構成されるものである。画像形成部１９は、紙などの記録媒体に画像を形成するものであり、例えば電子写真方式により、記録媒体に現像剤像を形成するものである。
【００３２】
ＦＡＸ通信部２１は、電話回線を介して通信相手との間でＦＡＸデータを送受信するものである。
【００３３】
情報管理部２２は、画像処理装置１０についての様々な情報を管理するものである。これらの情報は、例えば、不揮発性の記憶装置に記憶される。情報管理部２２は、無線ネットワーク情報２２１と、ユーザ情報テーブル２２２と、ＵＲＬ（Uniform Resource Locator）情報テーブル２２３とを管理している。
【００３４】
図６は、無線ネットワーク情報２２１の一例を表すものである。無線ネットワーク情報２２１は、無線ネットワーク通信Ｃ２についての情報である。具体的には、無線ネットワーク情報２２１は、無線ネットワーク通信Ｃ２が有効であるか無効であるかについての情報（“無線ネットワーク有効／無効”）、ＩＰ（Internet Protocol）アドレス、ＳＳＩＤ（Service Set Identifier）、パスワード、およびセキュリティ種別情報を含んでいる。セキュリティ種別情報は、例えば、ＷＥＰ（Wired Equivalent Privacy）、ＷＰＡ（Wi-Fi Protected Access）などの設定についての情報である。ＳＳＩＤ、ＩＰアドレス、パスワード、セキュリティ種別情報は、後述するように、モバイル端末３０が、無線ネットワーク通信Ｃ２を用いて画像処理装置１０と通信を行う際に使用する情報である。
【００３５】
図７は、ユーザ情報テーブル２２２の一例を表すものである。ユーザ情報テーブル２２２は、ユーザ名、権限情報、ＰＩＮ（Personal Identification Number）情報、および端末識別情報ＩＤが、互いに対応付けられて記憶されたものである。権限情報は、ユーザが管理者として登録されているか、もしくは一般ユーザとして登録されているかを示すものである。端末識別情報ＩＤは、近距離無線通信Ｃ１および無線ネットワーク通信Ｃ２を用いて画像処理装置１０と通信を行うデバイス（例えばモバイル端末３０）を識別するための識別情報である。情報処理システム１では、あらかじめユーザ登録を行うことにより、ユーザ名、権限情報、ＰＩＮ情報、端末識別情報ＩＤを、このユーザ情報テーブル２２２に記憶させるようになっている。
【００３６】
図８は、ＵＲＬ情報テーブル２２３の一例を表すものである。ＵＲＬ情報テーブル２２３は、マニュアルページＭＰのＵＲＬ情報、装置設定ページＳＰＡのＵＲＬ情報、および設定確認ページＳＰＢのＵＲＬ情報が、互いに対応づけられて記憶されたものである。この構成により、画像処理装置１０は、後述するように、モバイル端末３０から供給されたマニュアルページＭＰのＵＲＬ情報に基づいて、このＵＲＬ情報テーブル２２３を利用して、そのマニュアルページＭＰのＵＲＬ情報に対応する装置設定ページＳＰＡのＵＲＬ情報または設定確認ページＳＰＢのＵＲＬ情報を取得し、取得したＵＲＬ情報をモバイル端末３０に供給するようになっている。
【００３７】
制御部２３は、画像処理装置１０内の各ブロックの動作を制御することにより、画像処理装置１０の全体動作を制御するものである。制御部２３は、例えば、プログラムを実行可能なプロセッサや、ＲＡＭ（Random Access Memory）などを用いて構成されるものである。制御部２３は、端末検出部２４と、端末動作判定部２５と、書込制御部２６と、端末情報制御部２７を有している。
【００３８】
端末検出部２４は、ＮＦＣリーダライタ１１にモバイル端末３０がかざされたことを検出するものである。端末動作判定部２５は、モバイル端末３０におけるアプリケーションソフトウェアの動作状態を判定する起動判定処理Ａ１を行うものである。書込制御部２６は、モバイル端末３０へ情報を書き込む書込処理Ａ２を行うものである。
【００３９】
端末情報制御部２７は、端末検出部２４、端末動作判定部２５、および書込制御部２６の動作を制御するものである。端末情報制御部２７は、アプリケーション識別子テーブル２７１を記憶している。
【００４０】
図９は、アプリケーション識別子テーブル２７１の一構成例を表すものである。アプリケーション識別子テーブル２７１は、近距離無線通信Ｃ１および無線ネットワーク通信Ｃ２を用いて、画像処理装置１０と通信を行うデバイス（例えばモバイル端末３０）において実行されるアプリケーションソフトウェアの識別子（アプリケーション識別子ＡＩＤ）、およびそのようなデバイスに情報を書き込む際に使用するポインタ（書き込み処理のポインタ）が、互いに対応づけられて記憶されたものである。このポインタは、どの書込処理関数を実行すべきかを示すものである。この例では、アプリケーション識別子テーブル２７１には、アプリケーション識別子ＡＩＤの値“１０”が、対応するポインタとともに記憶されている。このアプリケーション識別子ＡＩＤの値“１０”は、後述する操作ガイドアプリケーションソフトウェア３６１のアプリケーション識別子ＡＩＤである。また、アプリケーション識別子ＡＩＤの値“−１”は、アプリケーション識別子テーブル２７１の最後部を示すものである。このアプリケーション識別子テーブル２７１は、例えば画像処理装置１０の電源投入時において、不揮発性の記憶装置から読み出され、ＲＡＭに記憶されるようになっている。
【００４１】
（モバイル端末３０）
モバイル端末３０は、制御部３６と、ＮＦＣ通信部３１と、ＮＤＥＦ（NFC Data Exchange Format）記憶部３２と、無線ネットワーク通信部３３と、操作部３４と、表示部３５とを有している。
【００４２】
制御部３６は、モバイル端末３０内の各ブロックの動作を制御することにより、モバイル端末３０の全体動作を制御するものである。制御部３６は、プロセッサや、ＲＡＭや、不揮発性の記憶装置などを用いて構成されるものであり、オペレーティングシステムや、各種アプリケーションソフトウェアを実行するものである。この例では、モバイル端末３０には、操作ガイドアプリケーションソフトウェア３６１がインストールされている。操作ガイドアプリケーションソフトウェア３６１は、画像処理装置１０の装置設定を行う際や、画像処理装置１０の装置設定を確認する際に起動されるものである。操作ガイドアプリケーションソフトウェア３６１のアプリケーション識別子ＡＩＤの値は、この例では“１０”に設定されている。
【００４３】
ＮＦＣ通信部３１は、画像処理装置１０のＮＦＣリーダライタ１１との間で近距離無線通信Ｃ１を行うものである。ＮＦＣ通信部３１は、アプリケーション識別子テーブル３１１を記憶している。
【００４４】
図１０は、アプリケーション識別子テーブル３１１の一構成例を表すものである。アプリケーション識別子テーブル３１１は、モバイル端末３０にインストールされたアプリケーションソフトウェアのアプリケーション識別子ＡＩＤ、およびＮＤＥＦ記憶部３２におけるそのアプリケーションソフトウェアに割り当てられたＮＤＥＦメッセージ領域３２１（後述）のアドレスが、互いに対応づけられて記憶されたものである。この例では、モバイル端末３０には、操作ガイドアプリケーションソフトウェア３６１のみがインストールされており、アプリケーション識別子テーブル３１１には、操作ガイドアプリケーションソフトウェア３６１のアプリケーション識別子ＡＩＤの値“１０”が、対応するＮＤＥＦメッセージ領域３２１のアドレスとともに記憶されている。また、アプリケーション識別子ＡＩＤの値“−１”は、アプリケーション識別子テーブル３１１の最後部を示すものである。
【００４５】
ＮＤＥＦ記憶部３２は、近距離無線通信Ｃ１を用いてやりとりする情報を記憶するものである。ＮＤＥＦ記憶部３２には、ＮＤＥＦメッセージ領域３２１が設けられている。このＮＤＥＦメッセージ領域３２１は、モバイル端末３０にインストールされた操作ガイドアプリケーションソフトウェア３６１に対応して設けられる。すなわち、例えば、モバイル端末３０に複数のアプリケーションソフトウェアがインストールされた場合には、それらの複数のアプリケーションソフトウェアにそれぞれ対応する複数のＮＤＥＦメッセージ領域３２１が設けられる。ＮＤＥＦメッセージ領域３２１のサイズは、例えば４ｋＢである。
【００４６】
図１１は、ＮＤＥＦメッセージ領域３２１の一例を表すものである。ＮＤＥＦメッセージ領域３２１は、端末情報記憶領域３２１Ａと、装置情報記憶領域３２１Ｂとを含んでいる。端末情報記憶領域３２１Ａは、モバイル端末３０が情報を書き込み、画像処理装置１０が情報を読み出すための領域である。装置情報記憶領域３２１Ｂは、画像処理装置１０が情報を書き込み、モバイル端末３０が情報を読み出すための領域である。端末情報記憶領域３２１Ａのサイズは、例えば２ｋＢであり、同様に、装置情報記憶領域３２１Ｂのサイズは、例えば２ｋＢである。
【００４７】
端末情報記憶領域３２１Ａは、アプリケーション状態情報記憶領域３２２Ａと、アプリケーション固有情報記憶領域３２３Ａとを含んでいる。
【００４８】
アプリケーション状態情報記憶領域３２２Ａは、アプリケーション状態情報が記憶される領域である。このアプリケーション状態情報は、対応するアプリケーションソフトウェア（この例では操作ガイドアプリケーションソフトウェア３６１）が起動されているかどうかを示すフラグ（この例では“０”または“１”）を含んでいる。“０”は、対応するアプリケーションソフトウェアがインストールされており、かつ起動されていない状態を示している。“１”は、対応するアプリケーションソフトウェアがインストールされており、かつ起動されている状態を示している。アプリケーション状態情報記憶領域３２２Ａのサイズは、この例では、１６バイトである。
【００４９】
アプリケーション固有情報記憶領域３２３Ａは、対応するアプリケーションソフトウェアが自由に使用できる領域である。このアプリケーション固有情報記憶領域３２３Ａは、複数のレコードＲＡ（レコードＲＡ１，ＲＡ２，…）を含んでいる。各レコードＲＡのサイズは可変である。各レコードＲＡは、図１２に示すように、先頭から２バイトの領域に、その後に続く情報のバイト長についての情報が格納される。レコードＲＡ１にはマニュアルページＭＰのＵＲＬ情報が格納され、レコードＲＡ２にはモバイル端末３０の端末識別情報ＩＤが格納されるようになっている。端末識別情報ＩＤは、モバイル端末３０を識別するための情報であり、モバイル端末３０に固有の情報である。
【００５０】
装置情報記憶領域３２１Ｂは、複数のレコードＲＢ（レコードＲＢ１，ＲＢ２，ＲＢ３，ＲＢ４，ＲＢ５，…）を含んでいる。各レコードＲＢのサイズは可変である。各レコードＲＢは、図１２に示すように、レコードＲＡと同様に、先頭から２バイトの領域に、その後に続く情報のバイト長についての情報が格納される。レコードＲＢ１には、設定関連ページＳＰ（装置設定ページＳＰＡまたは設定確認ページＳＰＢ）のＵＲＬ情報が格納され、レコードＲＢ２にはＩＰアドレスが格納され、レコードＲＢ３にはＳＳＩＤが格納され、レコードＲＢ４にはパスワードが格納され、レコードＲＢ５にはセキュリティ種別情報が格納されるようになっている。このレコードＲＢ２〜ＲＢ５に格納された情報は、後述するように、モバイル端末３０が、無線ネットワーク通信Ｃ２を用いて画像処理装置１０と通信を行う際に使用する情報である。
【００５１】
無線ネットワーク通信部３３は、アクセスポイント９との間で、無線ＬＡＮを用いて通信を行うとともに、画像処理装置１０との間で、無線ＬＡＮを用いて無線ネットワーク通信Ｃ２を行うものである。無線ネットワーク通信部３３は、無線ネットワーク情報３３１を記憶している。
【００５２】
図１３は、無線ネットワーク情報３３１の一例を表すものである。無線ネットワーク情報３３１は、モバイル端末３０が、無線ネットワーク通信Ｃ２を用いて画像処理装置１０と通信を行う際に使用する情報である。無線ネットワーク情報３３１は、ＩＰアドレス、ＳＳＩＤ、パスワード、およびセキュリティ種別情報を含んでいる。この無線ネットワーク情報３３１は、ＮＤＥＦ記憶部３２の装置情報記憶領域３２１ＢのレコードＲＢ２〜ＲＢ５に書き込まれた情報に基づいて設定されるようになっている。
【００５３】
操作部３４は、ユーザの操作を受け付けるものであり、タッチパネルなどを用いて構成されるものである。表示部３５は、例えば、マニュアルページＭＰ、装置設定ページＳＰＡ、および設定確認ページＳＰＢを表示するものであり、例えば、液晶ディスプレイを用いて構成されるものである。
【００５４】
ここで、モバイル端末３０は、本発明における「端末装置」の一具体例に対応する。表示部３５は、本発明における「第１の表示部」の一具体例に対応する。ＮＦＣ通信部３１および無線ネットワーク通信部３３は、本発明における「第１の通信部」の一具体例に対応する。制御部３６は、本発明における「制御部」の一具体例に対応する。操作部３４は、本発明における「操作部」の一具体例に対応する。
【００５５】
画像処理装置１０は、本発明における「情報処理装置」の一具体例に対応する。ＮＦＣリーダライタ１１および無線ネットワーク通信部１３は、本発明における「第２の通信部」の一具体例に対応する。情報管理部２２、ＷＥＢサーバ１４、装置設定管理部１５、および制御部２３は、本発明における「生成部」の一具体例に対応する。情報管理部２２は、本発明における「データベース」の一具体例に対応する。表示部１７は、本発明における「第２の表示部」の一具体例に対応する。
【００５６】
マニュアルページＭＰは、本発明における「第１の解説情報」の一具体例に対応する。マニュアルページＭＰのＵＲＬ情報は、本発明における「第１の情報識別子」の一具体例に対応する。装置設定ページＳＰＡおよび設定確認ページＳＰＢは、本発明における「第１の設定関連情報」の一具体例に対応する。端末識別情報ＩＤは、本発明における「端末識別子」の一具体例に対応する。近距離無線通信Ｃ１は、本発明における「第１の無線通信」の一具体例に対応する。無線ネットワーク通信Ｃ２は、本発明における「第２の無線通信」の一具体例に対応する。
【００５７】
［動作および作用］
続いて、本実施の形態の情報処理システム１の動作および作用について説明する。
【００５８】
（全体動作概要）
まず、図１〜４を参照して、情報処理システム１の全体動作概要を説明する。モバイル端末３０は、ブラウザソフトウェアを用いて、表示部３５に、例えば図４に示したマニュアルページＭＰを表示させる。そして、ユーザが、操作部３４を操作することにより、操作ガイドアプリケーションソフトウェア３６１を起動し、モバイル端末３０を画像処理装置１０にかざす。これにより、画像処理装置１０は、近距離無線通信Ｃ１を用いて、モバイル端末３０が表示しているマニュアルページＭＰのＵＲＬ情報を取得する。画像処理装置１０は、このマニュアルページＭＰのＵＲＬ情報に基づいて、情報管理部２２が管理しているＵＲＬ情報テーブル２２３を利用して、このマニュアルページＭＰのＵＲＬ情報に対応する設定関連ページＳＰ（装置設定ページＳＰＡまたは設定確認ページＳＰＢ）のＵＲＬ情報を取得する。そして、画像処理装置１０は、近距離無線通信Ｃ１を用いて、この設定関連ページＳＰのＵＲＬ情報と、情報管理部２２が管理している無線ネットワーク情報２２１に含まれるＩＰアドレス、ＳＳＩＤ、パスワード、およびセキュリティ種別情報とを、モバイル端末３０に供給する。モバイル端末３０は、これらのＩＰアドレス、ＳＳＩＤ、パスワード、およびセキュリティ種別情報に基づいて、無線ネットワーク通信Ｃ２のネットワーク設定を行う。そして、モバイル端末３０は、設定関連ページＳＰのＵＲＬ情報に基づいて、無線ネットワーク通信Ｃ２を用いて、画像処理装置１０に対して設定関連ページＳＰを要求する。画像処理装置１０のＷＥＢサーバ１４は、この要求に応じて、無線ネットワーク通信Ｃ２を用いて、設定関連ページＳＰをモバイル端末３０に対して供給する。そして、モバイル端末３０の表示部３５は、設定関連ページＳＰを表示する。
【００５９】
以下に、情報処理システム１の動作について、詳細に説明する。
【００６０】
（操作ガイドアプリケーションソフトウェア３６１のインストール）
まず、ユーザは、情報処理システム１の使用に先立ち、操作ガイドアプリケーションソフトウェア３６１をモバイル端末３０にインストールする。ユーザが、操作部３４を操作することにより、操作ガイドアプリケーションソフトウェア３６１のインストールを指示すると、まず、制御部３６は、ＮＤＥＦ記憶部３２に、その操作ガイドアプリケーションソフトウェア３６１に割り当てるＮＤＥＦメッセージ領域３２１を確保する。そして、制御部３６は、操作ガイドアプリケーションソフトウェア３６１のアプリケーション識別子ＡＩＤ（この例ではＡＩＤ＝“１０”）と、操作ガイドアプリケーションソフトウェア３６１に割り当てられたＮＤＥＦメッセージ領域３２１のアドレスを、ＮＦＣ通信部３１のアプリケーション識別子テーブル３１１（図１０）に記憶させる。そして、制御部３６は、割り当てたＮＤＥＦメッセージ領域３２１における、端末情報記憶領域３２１Ａのアプリケーション状態情報記憶領域３２２Ａに、操作ガイドアプリケーションソフトウェア３６１がインストールされており、かつ起動されていない状態を示すフラグ“０”を含むアプリケーション状態情報を記憶させる。そして、制御部３６は、割り当てたＮＤＥＦメッセージ領域３２１における、装置情報記憶領域３２１Ｂに格納された全ての情報を消去する。
【００６１】
このようにして、モバイル端末３０に操作ガイドアプリケーションソフトウェア３６１がインストールされる。これ以降、情報処理システム１では、モバイル端末３０が、装置設定に関するマニュアルページＭＰを表示しているときに、ユーザが、操作ガイドアプリケーションソフトウェア３６１を起動し、モバイル端末３０を画像処理装置１０にかざすことにより、モバイル端末３０は、表示しているマニュアルページＭＰに対応する装置設定ページＳＰＡまたは設定確認ページＳＰＢを表示することができる。以下に、この動作について詳細に説明する。
【００６２】
（情報処理システム１の動作シーケンス）
図１４Ａ，１４Ｂは、情報処理システム１の一動作例を表すものである。図１４Ａ，１４Ｂにおいて、ユーザの操作を括弧内に示している。
【００６３】
まず、ユーザがモバイル端末３０の操作部３４を操作することにより、ブラウザソフトウェアの起動を指示すると、モバイル端末３０の表示部３５は、画像処理装置１０の操作マニュアルのトップページを表示する（ステップＳ１０１）。具体的には、モバイル端末３０の無線ネットワーク通信部３３は、例えば、あらかじめ登録された操作マニュアルのトップページのＵＲＬ情報を、アクセスポイント９を介してサーバ装置８に供給する。そして、サーバ装置８は、そのトップページのＵＲＬ情報に基づいて、そのトップページのページデータを、アクセスポイント９を介してモバイル端末３０に供給する。そして、モバイル端末３０の表示部３５は、このトップページを表示する。
【００６４】
次に、ユーザが引き続き操作部３４を操作し、例えば操作マニュアルにおいてキーワード検索を行うことにより、装置設定の設定方法を調べる。そして、モバイル端末３０の表示部３５は、例えば図２に示したように、装置設定についてのマニュアルページＭＰを表示する（ステップＳ１０２）。具体的には、モバイル端末３０の無線ネットワーク通信部３３は、マニュアルページＭＰのＵＲＬ情報を、アクセスポイント９を介してサーバ装置８に供給し、サーバ装置８は、そのＵＲＬ情報に基づいて、マニュアルページＭＰのページデータを、アクセスポイント９を介してモバイル端末３０に供給する。そして、モバイル端末３０の表示部３５は、このマニュアルページＭＰを表示する。
【００６５】
次に、ユーザが操作ガイドアプリケーションソフトウェア３６１の起動を指示すると、モバイル端末３０の制御部３６は、操作ガイドアプリケーションソフトウェア３６１を起動する（ステップＳ１０３）。具体的には、ユーザは、例えば、ブラウザソフトウェアにおいて、表示しているマニュアルページＭＰのＵＲＬ情報を操作ガイドアプリケーションソフトウェア３６１に供給する指示を行う。これにより、制御部３６は、操作ガイドアプリケーションソフトウェア３６１を起動する。そして、操作ガイドアプリケーションソフトウェア３６１は、操作ガイドアプリケーションソフトウェア３６１に対応するＮＤＥＦメッセージ領域３２１の端末情報記憶領域３２１Ａにおけるアプリケーション状態情報記憶領域３２２Ａに、操作ガイドアプリケーションソフトウェア３６１がインストールされており、かつ起動されている状態を示すフラグ“１”を含むアプリケーション状態情報を記憶させる。
【００６６】
次に、操作ガイドアプリケーションソフトウェア３６１は、ＮＤＥＦメッセージ領域３２１の端末情報記憶領域３２１ＡにおけるレコードＲＡ１に、表示部３５が表示しているマニュアルページＭＰのＵＲＬ情報を書き込むとともに、レコードＲＡ２に、モバイル端末３０の端末識別情報ＩＤを書き込む（ステップＳ１０４）。そして、操作ガイドアプリケーションソフトウェア３６１は、そのＮＤＥＦメッセージ領域３２１の装置情報記憶領域３２１Ｂに格納された全ての情報を消去する。
【００６７】
次に、ユーザは、モバイル端末３０を、画像処理装置１０のＮＦＣリーダライタ１１にかざすと、画像処理装置１０の端末検出部２４は、モバイル端末３０を検出する（ステップＳ１０５）。そして、画像処理装置１０のＮＦＣリーダライタ１１は、近距離無線通信Ｃ１を用いて、モバイル端末３０の端末情報記憶領域３２１ＡにおけるレコードＲＡ１に格納されたマニュアルページＭＰのＵＲＬ情報、およびレコードＲＡ２に格納された端末識別情報ＩＤを読み出す（ステップＳ１０６）。
【００６８】
次に、画像処理装置１０の制御部２３は、ステップＳ１０６で読み出したマニュアルページＭＰのＵＲＬ情報および端末識別情報ＩＤに基づいて、設定関連ページＳＰのＵＲＬ情報を取得する（ステップＳ１０７）。具体的には、制御部２３は、まず、ステップＳ１０６で読み出した端末識別情報ＩＤに基づいて、情報管理部２２が管理しているユーザ情報テーブル２２２（図７）を用いて、その端末識別情報ＩＤに対応する権限情報を取得する。そして、制御部２３は、ステップＳ１０６で読み出したマニュアルページＭＰのＵＲＬ情報に基づいて、情報管理部２２が管理しているＵＲＬ情報テーブル２２３（図８）を用いて、そのマニュアルページＭＰのＵＲＬ情報に対応する設定関連ページＳＰ（装置設定ページＳＰＡまたは設定確認ページＳＰＢ）のＵＲＬ情報を取得する。その際、制御部２３は、取得した権限情報が、ユーザが管理者として登録されていることを示す場合には、装置設定ページＳＰＡのＵＲＬ情報を取得し、一般ユーザとして登録されていることを示す場合には、設定確認ページＳＰＢのＵＲＬ情報を取得する。
【００６９】
次に、画像処理装置１０のＮＦＣリーダライタ１１は、近距離無線通信Ｃ１を用いて、モバイル端末３０の装置情報記憶領域３２１ＢにおけるレコードＲＢ１に設定関連ページＳＰのＵＲＬ情報を書き込み、レコードＲＢ２〜ＲＢ５にＩＰアドレス、ＳＳＩＤ、パスワード、およびセキュリティ種別情報をそれぞれ書き込む（ステップＳ１０８）。これにより、設定関連ページＳＰのＵＲＬ情報、ＩＰアドレス、ＳＳＩＤ、パスワード、およびセキュリティ種別情報がモバイル端末７０に供給される（ステップＳ１０９）。
【００７０】
次に、画像処理装置１０は、ブザー音を発生させる（ステップＳ１１０）。これにより、画像処理装置１０は、ユーザに対して、モバイル端末３０をＮＦＣリーダライタ１１から外してよい旨を知らせる。これに応じて、ユーザは、モバイル端末３０を画像処理装置１０のＮＦＣリーダライタ１１から外す。
【００７１】
モバイル端末３０の操作ガイドアプリケーションソフトウェア３６１は、モバイル端末３０がＮＦＣリーダライタ１１から外されたことを検出し、無線ネットワーク通信部３３が記憶している無線ネットワーク情報３３１を、無線ネットワーク情報３３１ＡとしてＲＡＭに一旦退避する（ステップＳ１１１）。
【００７２】
次に、モバイル端末３０の操作ガイドアプリケーションソフトウェア３６１は、装置情報記憶領域３２１ＢのレコードＲＢ２〜ＲＢ５に格納された情報に基づいてネットワーク設定を行う（ステップＳ１１２）。具体的には、操作ガイドアプリケーションソフトウェア３６１は、レコードＲＢ２〜ＲＢ５に格納された情報（ＩＰアドレス、ＳＳＩＤ、パスワード、およびセキュリティ種別情報）を、無線ネットワーク情報３３１として、無線ネットワーク通信部３３に記憶させる。これにより、無線ネットワーク通信部３３は、これ以降、無線ネットワーク通信Ｃ２を用いて、画像処理装置１０と通信を行うことができるようになる。
【００７３】
次に、モバイル端末３０の操作ガイドアプリケーションソフトウェア３６１は、装置情報記憶領域３２１ＢのレコードＲＢ１に格納された情報（設定関連ページＳＰのＵＲＬ情報）をブラウザソフトウェアに供給し、ブラウザソフトウェアは、画像処理装置１０に対して、この設定関連ページＳＰのＵＲＬ情報を供給することにより、設定関連ページＳＰを要求する（ステップＳ１１３）。このとき、無線ネットワーク通信部３３は、無線ネットワーク通信Ｃ２を用いて、画像処理装置１０に対して、設定関連ページＳＰを要求する。画像処理装置１０の無線ネットワーク通信部１３は、モバイル端末３０から供給された要求を受け取る。
【００７４】
次に、画像処理装置１０のＷＥＢサーバ１４は、設定関連ページＳＰのＵＲＬ情報、および装置設定管理部１５が管理している装置設定に基づいて、モバイル端末３０に、設定関連ページＳＰを提供する（ステップＳ１１４）。このとき、無線ネットワーク通信部１３は、無線ネットワーク通信Ｃ２を用いて、モバイル端末３０に対して、設定関連ページＳＰを供給する。モバイル端末３０の無線ネットワーク通信部３３は、画像処理装置１０から供給された設定関連ページＳＰを受け取る。
【００７５】
次に、モバイル端末３０の表示部３５は、制御部３６からの指示に基づいて、設定関連ページＳＰを表示する（ステップＳ１１５）。
【００７６】
そして、ユーザは、モバイル端末３０の操作部３４を操作する。すなわち、例えば、ユーザが画像処理装置１０の管理者である場合には、表示部３５は、例えば図３に示したように、装置設定ページＳＰＡを表示する。この場合には、ユーザは、操作部３４を操作することにより、装置設定の変更を指示する。モバイル端末３０は、装置設定の変更指示を画像処理装置１０に供給し、画像処理装置１０の装置設定管理部１５が、その指示に基づいて装置設定を変更する。このようにして、ユーザは、画像処理装置１０の装置設定を行うことができる。また、例えば、ユーザが画像処理装置１０の一般ユーザである場合には、表示部３５は、例えば図４に示したように、設定確認ページＳＰＢを表示する。この場合には、ユーザは、画像処理装置１０の装置設定を確認することができる。
【００７７】
そして、ユーザが、モバイル端末３０の操作部３４を操作することにより、操作ガイドアプリケーションソフトウェア３６１の終了を指示すると、操作ガイドアプリケーションソフトウェア３６１は、ステップＳ１１１においてＲＡＭに退避された無線ネットワーク情報３３１Ａを、無線ネットワーク情報３３１として、無線ネットワーク通信部３３に再度記憶させることによりネットワーク設定を行う（ステップＳ１１６）。
【００７８】
そして、モバイル端末３０の制御部３６は、操作ガイドアプリケーションソフトウェア３６１を終了する（ステップＳ１１７）。
【００７９】
以上で、このシーケンスは終了する。
【００８０】
（ステップＳ１０５〜Ｓ１０９の動作について）
図１５は、図１４ＡのステップＳ１０５〜Ｓ１０９における画像処理装置１０の一動作例を表すものである。
【００８１】
まず、画像処理装置１０の端末検出部２４は、ＮＦＣリーダライタ１１にモバイル端末３０がかざされたかどうかを確認する（ステップＳ２０１）。ＮＦＣリーダライタ１１にモバイル端末３０がかざされていない場合（ステップＳ２０１において“Ｎ”）にはステップＳ２０１に戻る。
【００８２】
ＮＦＣリーダライタ１１にモバイル端末３０がかざされた場合（ステップＳ２０１において“Ｙ”）には、画像処理装置１０の端末動作判定部２５は、起動判定処理Ａ１を行う（ステップＳ２０２）
【００８３】
図１６は、端末動作判定部２５の起動判定処理Ａ１のサブルーチンの一例を表すものである。
【００８４】
まず、端末動作判定部２５は、変数ｉを０（ｉ＝０）に設定する（ステップＳ３１１）。
【００８５】
次に、端末動作判定部２５は、アプリケーション識別子テーブル２７１（図９）におけるｉ番目のアプリケーション識別子ＡＩＤを取得する（ステップＳ３１２）。
【００８６】
次に、端末動作判定部２５は、ステップＳ３１２において取得したアプリケーション識別子ＡＩＤの値が“−１”であるかどうかを確認する（ステップＳ３１３）。アプリケーション識別子ＡＩＤの値が“−１”である場合（ステップＳ３１３において“Ｙ”）には、このアプリケーション識別子テーブル２７１にはアプリケーション識別子ＡＩＤがこれ以上記憶されていないので、この起動判定処理Ａ１のサブルーチンは終了する。
【００８７】
ステップＳ３１３において、アプリケーション識別子ＡＩＤの値が“−１”でない場合（ステップＳ３１３において“Ｎ”）には、端末動作判定部２５は、アプリケーション識別子テーブル２７１（図９）を用いて、取得したアプリケーション識別子ＡＩＤの値に対応する書込処理のポインタを取得する（ステップＳ３１４）。そして、端末動作判定部２５は、ステップＳ３１４において取得した書込処理のポインタを用いて、モバイル端末３０の端末情報記憶領域３２１Ａを参照する（ステップＳ３１５）。
【００８８】
次に、端末動作判定部２５は、ステップＳ３１５において、モバイル端末３０の端末情報記憶領域３２１Ａを参照することができたかどうかを確認する（ステップＳ３１６）。端末情報記憶領域３２１Ａを参照することができなかった場合（ステップＳ３１６において“Ｎ”）には、端末動作判定部２５は、変数ｉをインクリメントし（ステップＳ３１８）、ステップＳ３１２に戻る。
【００８９】
端末情報記憶領域３２１Ａを参照することができた場合（ステップＳ３１６において“Ｙ”）には、端末動作判定部２５は、モバイル端末３０の端末情報記憶領域３２１Ａにおけるアプリケーション状態情報記憶領域３２２Ａを参照し、ステップＳ３１２において取得したアプリケーション識別子ＡＩＤに対応するアプリケーションソフトウェアが起動中であるかどうかを確認する（ステップＳ３１７）。アプリケーションソフトウェアが起動されていない場合（ステップＳ３１７において“Ｎ”）には、ステップＳ３１８に進む。
【００９０】
アプリケーションソフトウェアが起動されている場合（ステップＳ３１７において“Ｙ”）には、この起動判定処理Ａ１のサブルーチンは終了する
【００９１】
端末動作判定部２５は、このような起動判定処理Ａ１により、アプリケーション識別子ＡＩＤ＝１０に対応するＮＤＥＦメッセージ領域３２１にアクセスするための書込処理のポインタを取得する。また、端末動作判定部２５は、モバイル端末３０において操作ガイドアプリケーションソフトウェア３６１が起動していることを判定する。
【００９２】
次に、図１５に示したように、画像処理装置１０の書込制御部２６は、書込処理Ａ２を行う（ステップＳ２０３）。
【００９３】
図１７Ａ，１７Ｂは、書込制御部２６の書込処理Ａ２のサブルーチン一例を表すものである。
【００９４】
まず、書込制御部２６は、アプリケーション識別子ＡＩＤ＝１０に対応するＮＤＥＦメッセージ領域３２１の端末情報記憶領域３２１ＡにおけるレコードＲＡ１に格納された情報（マニュアルページＭＰのＵＲＬ情報）を取得する（ステップＳ３２１）。マニュアルページＭＰのＵＲＬ情報を取得できなかった場合（ステップＳ３２２において“Ｎ”）には、この書込処理Ａ２のサブルーチンは終了する。
【００９５】
マニュアルページＭＰのＵＲＬ情報を取得できた場合（ステップＳ３２２において“Ｙ”）には、書込制御部２６は、アプリケーション識別子ＡＩＤ＝１０に対応するＮＤＥＦメッセージ領域３２１の端末情報記憶領域３２１ＡにおけるレコードＲＡ２に格納された情報（端末識別情報ＩＤ）を取得する（ステップＳ３２３）。
【００９６】
次に、書込制御部２６は、ステップＳ３２３において取得した端末識別情報ＩＤに基づいて、ユーザ情報テーブル２２２（図７）を用いて、その端末識別情報ＩＤに対応する権限情報を取得する（ステップＳ３２４）。
【００９７】
次に、書込制御部２６は、変数ｊを０（ｊ＝０）に設定する（ステップＳ３２５）。
【００９８】
次に、書込制御部２６は、ＵＲＬ情報テーブル２２３（図８）におけるｊ番目の情報を確認する（ステップＳ３２６）。ＵＲＬ情報テーブル２２３にｊ番目の情報がない場合（ステップＳ３２７において“Ｎ”）には、この書込処理Ａ２のサブルーチンは終了する。
【００９９】
ＵＲＬ情報テーブル２２３にｊ番目の情報がある場合（ステップＳ３２７において“Ｙ”）には、書込制御部２６は、ステップＳ３２１において取得した“マニュアルページＭＰのＵＲＬ情報”と、ＵＲＬ情報テーブル２２３におけるｊ番目の“マニュアルページＭＰのＵＲＬ情報”とを比較する（ステップＳ３２８）。２つの“マニュアルページＭＰのＵＲＬ情報”が一致しない場合（ステップＳ３２９において“Ｎ”）には、書込制御部２６は、変数ｊをインクリメントし（ステップＳ３３０）、ステップＳ３２６に戻る。
【０１００】
２つの“マニュアルページＭＰのＵＲＬ情報”が一致する場合（ステップＳ３２９において“Ｙ”）には、書込制御部２６は、ステップＳ３２４において取得した権限情報を確認する（ステップＳ３３１）。この権限情報が、管理者として登録されていることを示す場合（ステップＳ３３１において“Ｙ”）には、書込制御部２６は、アプリケーション識別子ＡＩＤ＝１０に対応するＮＤＥＦメッセージ領域３２１の装置情報記憶領域３２１ＢにおけるレコードＲＢ１に、ＵＲＬ情報テーブル２２３におけるｊ番目の“装置設定ページＳＰＡのＵＲＬ情報”を書き込む（ステップＳ３３２）。また、権限情報が、一般ユーザとして登録されていることを示す場合（ステップＳ３３１において“Ｎ”）には、書込制御部２６は、アプリケーション識別子ＡＩＤ＝１０に対応するＮＤＥＦメッセージ領域３２１の装置情報記憶領域３２１ＢにおけるレコードＲＢ１に、ＵＲＬ情報テーブル２２３におけるｊ番目の“設定確認ページＳＰＢのＵＲＬ情報”を書き込む（ステップＳ３３３）。
【０１０１】
次に、書込制御部２６は、アプリケーション識別子ＡＩＤ＝１０に対応するＮＤＥＦメッセージ領域３２１の装置情報記憶領域３２１ＢにおけるレコードＲＢ２に、無線ネットワーク情報２２１に含まれるＩＰアドレスを書き込む（ステップＳ３３４）。
【０１０２】
次に、書込制御部２６は、アプリケーション識別子ＡＩＤ＝１０に対応するＮＤＥＦメッセージ領域３２１の装置情報記憶領域３２１ＢにおけるレコードＲＢ３に、無線ネットワーク情報２２１に含まれるＳＳＩＤを書き込む（ステップＳ３３５）。
【０１０３】
次に、書込制御部２６は、アプリケーション識別子ＡＩＤ＝１０に対応するＮＤＥＦメッセージ領域３２１の装置情報記憶領域３２１ＢにおけるレコードＲＢ４に、無線ネットワーク情報２２１に含まれるパスワードを書き込む（ステップＳ３３６）。
【０１０４】
次に、書込制御部２６は、アプリケーション識別子ＡＩＤ＝１０に対応するＮＤＥＦメッセージ領域３２１の装置情報記憶領域３２１ＢにおけるレコードＲＢ５に、無線ネットワーク情報２２１に含まれるセキュリティ種別情報を書き込む（ステップＳ３３７）。
【０１０５】
以上で、この書込処理Ａ２のサブルーチンは終了する。
【０１０６】
書込制御部２６は、このような書込処理Ａ２により、操作ガイドアプリケーションソフトウェア３６１に対応するＮＤＥＦメッセージ領域３２１の装置情報記憶領域３２１Ｂに、設定関連ページＳＰのＵＲＬ情報、ＩＰアドレス、ＳＳＩＤ、パスワード、およびセキュリティ種別情報を書き込む。
【０１０７】
このようにして、図１５に示した動作が終了する。
【０１０８】
（ステップＳ１１１〜Ｓ１１５の動作について）
図１８は、図１４ＢのＳ１１１〜Ｓ１１５におけるモバイル端末３０の一動作例を表すものである。
【０１０９】
まず、操作ガイドアプリケーションソフトウェア３６１は、モバイル端末３０がＮＦＣリーダライタ１１から外れたかどうかを確認する（ステップＳ４０１）。モバイル端末３０がＮＦＣリーダライタ１１から外れていない場合（ステップＳ４０１において“Ｎ”）には、ステップＳ４０１に戻る。
【０１１０】
モバイル端末３０がＮＦＣリーダライタ１１から外れている場合（ステップＳ４０１において“Ｙ”）には、操作ガイドアプリケーションソフトウェア３６１は、操作ガイドアプリケーションソフトウェア３６１に対応するＮＤＥＦメッセージ領域３２１の装置情報記憶領域３２１Ｂに情報が書き込まれているかどうかを確認する（ステップＳ４０２）。装置情報記憶領域３２１Ｂに情報が書き込まれていない場合（ステップＳ４０３において“Ｎ”）には、このフローは終了する。
【０１１１】
装置情報記憶領域３２１Ｂに情報が書き込まれている場合（ステップＳ４０３において“Ｙ”）には、操作ガイドアプリケーションソフトウェア３６１は、無線ネットワーク通信部３３が記憶している無線ネットワーク情報３３１を、無線ネットワーク情報３３１Ａとして、ＲＡＭに一旦退避する（ステップＳ４０４）。
【０１１２】
次に、操作ガイドアプリケーションソフトウェア３６１は、装置情報記憶領域３２１ＢのレコードＲＢ２〜ＲＢ５に格納された情報に基づいてネットワーク設定を行う（ステップＳ４０５）。具体的には、操作ガイドアプリケーションソフトウェア３６１は、レコードＲＢ２〜ＲＢ５に格納された情報（ＩＰアドレス、ＳＳＩＤ、パスワード、およびセキュリティ種別情報）を、無線ネットワーク情報３３１として、無線ネットワーク通信部３３に記憶させる。
【０１１３】
次に、操作ガイドアプリケーションソフトウェア３６１は、装置情報記憶領域３２１ＢのレコードＲＢ１に格納された情報（設定関連ページＳＰのＵＲＬ情報）を取得する（ステップＳ４０６）。そして、操作ガイドアプリケーションソフトウェア３６１は、設定関連ページＳＰのＵＲＬ情報をブラウザソフトウェアに供給する。
【０１１４】
次に、ブラウザソフトウェアは、設定関連ページＳＰのＵＲＬ情報に基づいて、設定関連ページＳＰを取得し、表示部３５はこの設定関連ページＳＰを表示する（ステップＳ４０７）。具体的には、ブラウザソフトウェアは、画像処理装置１０に対して、この設定関連ページＳＰのＵＲＬ情報を供給することにより、設定関連ページＳＰを要求する。このとき、無線ネットワーク通信部３３は、無線ネットワーク通信Ｃ２を用いて、画像処理装置１０に対して、設定関連ページＳＰを要求する。そして、無線ネットワーク通信部３３は、無線ネットワーク通信Ｃ２を用いて、設定関連ページＳＰを受け取る。表示部３５は、この設定関連ページＳＰを表示する。
【０１１５】
次に、操作ガイドアプリケーションソフトウェア３６１は、装置情報記憶領域３２１Ｂに格納された全ての情報を消去する（ステップＳ４０８）。
【０１１６】
以上で、このフローは終了する。
【０１１７】
このように、情報処理システム１では、モバイル端末３０が、装置設定に関するマニュアルページＭＰを表示しているときに、ユーザが、モバイル端末３０を画像処理装置１０にかざすことにより、モバイル端末３０は、表示しているマニュアルページＭＰに対応する装置設定ページＳＰＡまたは設定確認ページＳＰＢを表示するようにした。これにより、ユーザは、設定したい装置設定に係る装置設定ページＳＰＡや、確認したい装置設定に係る設定確認ページＳＰＢを探す手間が省けるため、ユーザの利便性を高めることができる。
【０１１８】
特に、情報処理システム１では、モバイル端末３０が装置設定ページＳＰＡまたは設定確認ページＳＰＢを表示し、ユーザは、モバイル端末３０を操作することにより、画像処理装置１０の装置設定を行い、あるいは画像処理装置１０の装置設定を確認するようにしたので、ユーザの利便性を高めることができる。すなわち、ユーザが、画像処理装置１０を直接操作する場合には、ユーザの利便性が低下する場合があり得る。具体的には、例えば、画像処理装置１０の表示部１７が、いわゆるキャラクタパネルのように、多くの情報を表示できないパネルである場合や、操作部１６が、いくつかのボタンのみが設けられた、操作しにくいものである場合には、ユーザの利便性が低下するおそれがある。一方、情報処理システム１では、モバイル端末３０は、装置設定ページＳＰＡまたは設定確認ページＳＰＢを表示し、ユーザは、操作部３４（タッチパネル）を用いて操作を行うことができる。このモバイル端末３０は、様々な情報をグラフィカルに表示することができ、ユーザは、例えばその表示画面をタッチすることにより直観的に操作を行うことができる。これにより、情報処理システム１では、ユーザの利便性を高めることができる。
【０１１９】
また、情報処理システム１では、画像処理装置１０は、モバイル端末３０の端末識別情報ＩＤに基づいて、装置設定ページＳＰＡのＵＲＬ情報および設定確認ページＳＰＢのＵＲＬ情報のうちのどちらをモバイル端末３０に供給すべきかを判断するようにした。これにより、情報処理システム１では、例えば、モバイル端末３０のユーザが、画像処理装置１０の管理者である場合には、そのモバイル端末３０は装置設定ページＳＰＡを表示し、モバイル端末３０のユーザが、画像処理装置１０の一般ユーザである場合には、そのモバイル端末３０は設定確認ページＳＰＢを表示することができる。よって、例えば、画像処理装置１０の一般ユーザが画像処理装置１０の装置設定を変更してしまうおそれを低減することができるため、ユーザの利便性を高めることができる。
【０１２０】
［効果］
以上のように本実施の形態では、モバイル端末が装置設定に関するマニュアルページを表示しているときに、ユーザが、モバイル端末を画像処理装置にかざすことにより、モバイル端末は、表示しているマニュアルページに対応する装置設定ページまたは設定確認ページを表示するようにしたので、ユーザの利便性を高めることができる。
【０１２１】
本実施の形態では、モバイル端末が装置設定ページまたは設定確認ページを表示し、ユーザが、モバイル端末を操作することにより、画像処理装置の装置設定を行い、あるいは画像処理装置の装置設定を確認するようにしたので、ユーザの利便性を高めることができる。
【０１２２】
本実施の形態では、モバイル端末の端末識別情報に基づいて、装置設定ページのＵＲＬ情報および設定確認ページのＵＲＬ情報のうちのどちらをモバイル端末に供給すべきかを判断するようにしたので、ユーザの利便性を高めることができる。
【０１２３】
＜２．第２の実施の形態＞
次に、第２の実施の形態に係る情報処理システム２について説明する。本実施の形態は、モバイル端末３０に、コピーなどのジョブの設定を行うためのジョブ設定ページを表示させるものである。なお、上記第１の実施の形態に係る情報処理システム１と実質的に同一の構成部分には同一の符号を付し、適宜説明を省略する。
【０１２４】
情報処理システム２は、図１に示したように、画像処理装置４０と、モバイル端末３０とを備えている。画像処理装置４０は、画像処理装置４０において実行されるジョブの設定を行うためのジョブ設定ページＳＰＣを提供する機能を有している。
【０１２５】
情報処理システム２では、モバイル端末３０が、ジョブの設定に関するマニュアルページＭＰを表示しているときに、ユーザが、モバイル端末３０を画像処理装置１０にかざすことにより、モバイル端末３０は、表示しているマニュアルページＭＰに対応するジョブ設定ページＳＰＣを表示することができるようになっている。
【０１２６】
図１９は、モバイル端末３０がマニュアルページＭＰを表示しているときの、表示画面の一例を表すものである。この例では、モバイル端末３０は、コピーの操作方法に係るマニュアルページＭＰを表示している。
【０１２７】
図２０は、モバイル端末３０がジョブ設定ページＳＰＣを表示しているときの、表示画面の一例を表すものである。この例では、モバイル端末３０は、コピーの設定についてのジョブ設定ページＳＰＣを表示している。すなわち、図２０に示したジョブ設定ページＳＰＣは、図１９に示したマニュアルページＭＰに対応するものである。この例では、ユーザは、このジョブ設定ページＳＰＣを用いて、コピー部数、両面コピー、読取サイズ、拡大または縮小についての設定を行うことができる。また、ユーザは、“モノクロコピー実行”を操作することによりモノクロコピーの実行を指示し、あるいは、“カラーコピー実行”を操作することによりカラーコピーの実行を指示することができるようになっている。
【０１２８】
図２１〜２３は、画像処理装置４０の表示画面の一例を表すものである。図２１は、操作待機画面の一例を示し、図２２は、コピー操作画面の一例を示し、図２３は、ユーザが操作を行うことができないロック画面の一例を示す。
【０１２９】
ユーザは、ジョブ設定ページＳＰＣを表示しているモバイル端末３０を操作することにより、ジョブの設定およびジョブの実行指示を行うことができる。このとき、画像処理装置４０は、図２３に示したロック画面を表示する。画像処理装置４０は、このロック画面を表示しているときは、画像処理装置４０の操作部は、ユーザの操作を受け付けないようになっている。これにより、他のユーザは、画像処理装置４０が使用中であることを知ることができ、また、画像処理装置４０は、複数のユーザにより同時に操作されないようになっている。
【０１３０】
図２４は、画像処理装置４０の一構成例を表すものである。なお、この図２４には、モバイル端末３０をも図示している。画像処理装置４０は、情報管理部４２と、制御部４３とを有している。
【０１３１】
情報管理部４２は、ＵＲＬ情報テーブル４２３を管理している。
【０１３２】
図２５は、ＵＲＬ情報テーブル４２３の一例を表すものである。ＵＲＬ情報テーブル２２３は、マニュアルページＭＰのＵＲＬ情報、ジョブ設定ページＳＰＣのＵＲＬ情報、およびロックフラグが、互いに対応づけられて記憶されたものである。ロックフラグは、ロック画面（図２３）を表示するかどうかについての情報である。この構成により、画像処理装置４０は、モバイル端末３０から供給されたマニュアルページＭＰのＵＲＬ情報に基づいて、このＵＲＬ情報テーブル４２３を利用して、そのマニュアルページＭＰのＵＲＬ情報に対応するジョブ設定ページＳＰＣのＵＲＬ情報およびロックフラグを取得する。そして、画像処理装置４０は、このロックフラグに基づいて、表示部１７にロック画面を表示させるかどうかを判断するようになっている。
【０１３３】
制御部４３は、書込制御部４６と、端末識別情報記憶部４８とを有している。書込制御部４６は、モバイル端末３０へ情報を書き込む書込処理Ａ２を行うものである。端末識別情報記憶部４８は、モバイル端末３０から読み出した端末識別情報ＩＤを記憶するものである。
【０１３４】
ここで、画像処理装置４０は、本発明における「情報処理装置」の一具体例に対応する。情報管理部４２、ＷＥＢサーバ１４、および装置設定管理部１５は、本発明における「生成部」の一具体例に対応する。ジョブ設定ページＳＰＣは、本発明における「第１の設定関連情報」の一具体例に対応する。
【０１３５】
図２６Ａ〜２６Ｃは、書込制御部４６の書込処理Ａ２のサブルーチン一例を表すものである。
【０１３６】
まず、書込制御部４６は、アプリケーション識別子ＡＩＤ＝１０に対応するＮＤＥＦメッセージ領域３２１の端末情報記憶領域３２１ＡにおけるレコードＲＡ１に格納された情報（マニュアルページＭＰのＵＲＬ情報）を取得する（ステップＳ５０１）。マニュアルページＭＰのＵＲＬ情報を取得できなかった場合（ステップＳ５０２において“Ｎ”）には、この書込処理Ａ２のサブルーチンは終了する。
【０１３７】
マニュアルページＭＰのＵＲＬ情報を取得できた場合（ステップＳ５０２において“Ｙ”）には、書込制御部４６は、アプリケーション識別子ＡＩＤ＝１０に対応するＮＤＥＦメッセージ領域３２１の端末情報記憶領域３２１ＡにおけるレコードＲＡ２に格納された情報（端末識別情報ＩＤ）を取得する（ステップＳ５０３）。
【０１３８】
次に、書込制御部４６は、画像処理装置４０の表示部１７がコピー操作画面（図２２）を表示しているかどうかを確認する（ステップＳ５０４）。表示部１７がコピー操作画面を表示している場合（ステップＳ５０４において“Ｙ”）には、この書込処理Ａ２のサブルーチンは終了する。
【０１３９】
表示部１７がコピー操作画面を表示していない場合（ステップＳ５０４において“Ｎ”）には、書込制御部４６は、画像処理装置４０の表示部１７がロック画面（図２３）を表示しているかどうかを確認する（ステップＳ５０５）。
【０１４０】
表示部１７がロック画面を表示している場合（ステップＳ５０５において“Ｙ”）には、書込制御部４６は、ステップＳ５０３において取得した“端末識別情報ＩＤ”と、端末識別情報記憶部４８が記憶している“端末識別情報ＩＤ”とを比較する（ステップＳ５０６）。２つの“端末識別情報ＩＤ”が一致しない場合（ステップＳ５０７において“Ｎ”）には、この書込処理Ａ２のサブルーチンは終了する。２つの“端末識別情報ＩＤ”が一致する場合（ステップＳ５０７において“Ｙ”）には、表示部１７は、書込制御部４６からの指示に基づいてロック画面の表示を解除し（ステップＳ５０８）、書込制御部４６は、端末識別情報記憶部４８に記憶された情報を消去する（ステップＳ５０９）。そして、この書込処理Ａ２のサブルーチンは終了する。すなわち、ユーザがモバイル端末３０を画像処理装置４０にかざすことにより表示部１７がロック画面を表示しているときに、そのユーザがモバイル端末３０を画像処理装置４０に再度かざすことにより、画像処理装置４０は、ロック画面の表示を解除する。
【０１４１】
ステップＳ５０５において、表示部１７がロック画面を表示していない場合（ステップＳ５０５において“Ｎ”）には、書込制御部４６は、変数ｊを０（ｊ＝０）に設定する（ステップＳ５１１）。
【０１４２】
次に、書込制御部４６は、ＵＲＬ情報テーブル４２３（図２５）におけるｊ番目の情報を確認する（ステップＳ５１２）。ＵＲＬ情報テーブル４２３にｊ番目の情報がない場合（ステップＳ５１３において“Ｎ”）には、この書込処理Ａ２のサブルーチンは終了する。
【０１４３】
ＵＲＬ情報テーブル２２３にｊ番目の情報がある場合（ステップＳ５１３において“Ｙ”）には、書込制御部４６は、ステップＳ５０１において取得した“マニュアルページＭＰのＵＲＬ情報”と、ＵＲＬ情報テーブル４２３におけるｊ番目の“マニュアルページＭＰのＵＲＬ情報”とを比較する（ステップＳ５１４）。２つの“マニュアルページＭＰのＵＲＬ情報”が一致しない場合（ステップＳ５１５において“Ｎ”）には、変数ｊをインクリメントし（ステップＳ５１６）、ステップＳ５１２に戻る。
【０１４４】
２つの“マニュアルページＭＰのＵＲＬ情報”が一致する場合（ステップＳ５１５において“Ｙ”）には、書込制御部４６は、ＵＲＬ情報テーブル４２３におけるｊ番目のロックフラグが“ロック画面を表示する”であるかどうかを確認する（ステップＳ５１７）。ＵＲＬ情報テーブル４２３におけるｊ番目のロックフラグが“ロック画面を表示する”である場合（ステップＳ５１７において“Ｙ”）には、表示部１７は、書込制御部４６からの指示に基づいてロック画面を表示し（ステップＳ５１８）、端末識別情報記憶部４８は、書込制御部４６からの指示に基づいて、ステップＳ５０３において取得した端末識別情報ＩＤを記憶する（ステップＳ５１９）。
【０１４５】
次に、書込制御部４６は、アプリケーション識別子ＡＩＤ＝１０に対応するＮＤＥＦメッセージ領域３２１の装置情報記憶領域３２１ＢにおけるレコードＲＢ１に、ＵＲＬ情報テーブル４２３におけるｊ番目の“ジョブ設定ページＳＰＣのＵＲＬ情報”を書き込む（ステップＳ５２１）。
【０１４６】
次に、書込制御部４６は、アプリケーション識別子ＡＩＤ＝１０に対応するＮＤＥＦメッセージ領域３２１の装置情報記憶領域３２１ＢにおけるレコードＲＢ２に、無線ネットワーク情報２２１に含まれるＩＰアドレスを書き込む（ステップＳ５２２）。
【０１４７】
次に、書込制御部４６は、アプリケーション識別子ＡＩＤ＝１０に対応するＮＤＥＦメッセージ領域３２１の装置情報記憶領域３２１ＢにおけるレコードＲＢ３に、無線ネットワーク情報２２１に含まれるＳＳＩＤを書き込む（ステップＳ５２３）。
【０１４８】
次に、書込制御部４６は、アプリケーション識別子ＡＩＤ＝１０に対応するＮＤＥＦメッセージ領域３２１の装置情報記憶領域３２１ＢにおけるレコードＲＢ４に、無線ネットワーク情報２２１に含まれるパスワードを書き込む（ステップＳ５２４）。
【０１４９】
次に、書込制御部４６は、アプリケーション識別子ＡＩＤ＝１０に対応するＮＤＥＦメッセージ領域３２１の装置情報記憶領域３２１ＢにおけるレコードＲＢ５に、無線ネットワーク情報２２１に含まれるセキュリティ種別情報を書き込む（ステップＳ５２５）。
【０１５０】
以上で、この書込処理Ａ２のサブルーチンは終了する。
【０１５１】
このように、情報処理システム２では、ユーザがモバイル端末３０を操作することにより、ジョブの設定およびジョブの実行指示を行うことができるようにしたので、画像処理装置１０を直接操作する場合に比べて、ユーザの利便性を高めることができる。すなわち、例えば、画像処理装置４０の表示部１７が、グラフィックを表示することができる場合でも、その表示領域が小さい場合には、例えば同時に表示できる設定項目の数が制限され、ユーザの利便性が低下する場合があり得る。情報処理システム２では、ユーザがモバイル端末３０を操作することにより、ジョブの設定およびジョブの実行指示を行うようにした。これにより、例えば、モバイル端末３０の表示部３５の表示領域が画像処理装置１０の表示部１７の表示領域より大きい場合には、モバイル端末３０は、より多くの設定項目を同時に表示することができる。その結果、情報処理システム２では、ユーザの利便性を高めることができる。
【０１５２】
また、情報処理システム２では、モバイル端末３０がジョブ設定ページＳＰＣを表示している場合には、画像処理装置４０は、図２３に示したロック画面を表示するようにしたので、他のユーザは、画像処理装置４０が使用中であることを知ることができるため、ユーザの利便性を高めることができる
【０１５３】
以上のように本実施の形態では、ユーザがモバイル端末を操作することにより、コピーなどのジョブの設定およびジョブの実行指示を行うことができるようにしたので、ユーザの利便性を高めることができる。
【０１５４】
本実施の形態では、モバイル端末がジョブ設定ページを表示している場合には、画像処理装置はロック画面を表示するようにしたので、ユーザの利便性を高めることができる。
【０１５５】
［変形例２−１］
上記実施の形態では、ユーザは、モバイル端末３０を操作することにより、コピージョブの設定およびコピージョブの実行指示を行うようにしたのが、これに限定されるものではない。例えば、スキャンジョブの設定およびスキャンジョブの実行指示を行ってもよいし、ＦＡＸ送信ジョブの設定およびＦＡＸ送信ジョブの実行指示を行ってもよい。
【０１５６】
［変形例２−２］
上記実施の形態では、ユーザがモバイル端末３０を操作することにより、コピーなどのジョブの設定を行うようにしたが、これに限定されるものではない。例えば、上記第１の実施の形態の技術と組み合わせ、ユーザがモバイル端末３０を操作することにより、さらに、画像処理装置４０の装置設定や画像処理装置４０の装置設定の確認をも行うことができるようにしてもよい。
【０１５７】
＜３．第３の実施の形態＞
次に、第３の実施の形態に係る情報処理システム３について説明する。本実施の形態は、モバイル端末３０に、画像処理装置の装置設定を行うための装置設定ページＳＰＡを選択的に表示させるものである。なお、上記第１の実施の形態に係る情報処理システム１と実質的に同一の構成部分には同一の符号を付し、適宜説明を省略する。
【０１５８】
情報処理システム３は、図１に示したように、画像処理装置５０と、モバイル端末３０とを備えている。画像処理装置５０は、マニュアルページＭＰのＵＲＬ情報に基づいて、画像処理装置５０の装置設定を行うための装置設定ページＳＰＡを選択的に提供する機能を有している。
【０１５９】
図２７は、画像処理装置５０の表示画面Ｐ（表示画面Ｐ１〜Ｐ４）の一例を表すものである。各表示画面Ｐ１〜Ｐ４には、階層情報ＩＮＦが割り当てられている。表示画面Ｐ１は、“ネットワーク管理”、“プリント管理”、および“装置管理”のうちの１つを選択するための画面である。この表示画面Ｐ１の階層情報ＩＮＦは“１”である。表示画面Ｐ１において、ユーザが“ネットワーク管理”を選択すると、画像処理装置５０は、表示画面Ｐ２を表示する。この表示画面Ｐ２は、“ネットワーク設定”、“メールサーバ設定”、および“ＬＤＡＰ（Lightweight Directory Access Protocol）サーバ設定”のうちの１つを選択するための画面である。この表示画面Ｐ２の階層情報ＩＮＦは“１−１”である。この表示画面Ｐ２において、ユーザが“ネットワーク設定”を選択すると、画像処理装置５０は、表示画面Ｐ３を表示する。この表示画面Ｐ３は、“基本設定”および“無線設定”のうちの１つを選択するための画面である。この表示画面Ｐ３の階層情報ＩＮＦは“１−１−１”である。また、表示画面Ｐ２において、ユーザが“メールサーバ設定”を選択すると、画像処理装置５０は、表示画面Ｐ４を表示する。この表示画面Ｐ４は、“ＳＭＴＰ（Simple Mail Transfer Protocol）サーバ設定”および“ＳＭＴＰポート設定”のうちの１つを選択するための画面である。この表示画面Ｐ４の階層情報ＩＮＦは“１−１−２”である。
【０１６０】
情報処理システム３では、モバイル端末３０が、装置設定に関するマニュアルページＭＰを表示しているときに、ユーザが、モバイル端末３０を画像処理装置５０にかざすことにより、画像処理装置５０は、そのマニュアルページＭＰのＵＲＬ情報を取得する。そして、画像処理装置５０は、そのマニュアルページＭＰのＵＲＬ情報に基づいて、表示画面Ｐを表示するか、モバイル端末３０に装置設定ページＳＰＡを表示させるかを判断するようになっている。
【０１６１】
図２８は、画像処理装置５０の一構成例を表すものである。なお、この図２８には、モバイル端末３０をも図示している。画像処理装置５０は、情報管理部５２と、制御部５３とを有している。
【０１６２】
情報管理部５２は、ＵＲＬ情報テーブル５２３を管理している。
【０１６３】
図２９は、ＵＲＬ情報テーブル５２３の一例を表すものである。ＵＲＬ情報テーブル５２３は、マニュアルページＭＰのＵＲＬ情報、表示フラグ、装置設定ページＳＰＡのＵＲＬ情報、および階層情報ＩＮＦが、互いに対応づけられて記憶されたものである。表示フラグは、画像処理装置５０およびモバイル端末３０のうちのどちらに情報を表示するかを示すものである。表示フラグが“画像処理装置”である場合には、階層情報ＩＮＦに対応する表示画面Ｐが画像処理装置５０の表示部１７に表示される。また、表示フラグが“モバイル端末”である場合には、装置設定ページＳＰＡがモバイル端末３０の表示部３５に表示されるようになっている。
【０１６４】
制御部５３は、書込制御部５６を有している。書込制御部５６は、モバイル端末３０へ情報を書き込む書込処理Ａ２を行うものである。
【０１６５】
ここで、画像処理装置５０は、本発明における「情報処理装置」の一具体例に対応する。情報管理部５２、ＷＥＢサーバ１４、および装置設定管理部１５は、本発明における「生成部」の一具体例に対応する。表示フラグは、本発明における「フラグ情報」の一具体例に対応する。
【０１６６】
図３０Ａ，３０Ｂは、書込制御部５６の書込処理Ａ２のサブルーチン一例を表すものである。
【０１６７】
まず、書込制御部５６は、アプリケーション識別子ＡＩＤ＝１０に対応するＮＤＥＦメッセージ領域３２１の端末情報記憶領域３２１ＡにおけるレコードＲＡ１に格納された情報（マニュアルページＭＰのＵＲＬ情報）を取得する（ステップＳ６０１）。マニュアルページＭＰのＵＲＬ情報を取得できなかった場合（ステップＳ６０２において“Ｎ”）には、この書込処理Ａ２のサブルーチンは終了する。
【０１６８】
マニュアルページＭＰのＵＲＬ情報を取得できた場合（ステップＳ６０２において“Ｙ”）には、書込制御部５６は、変数ｊを０（ｊ＝０）に設定する（ステップＳ６０３）。
【０１６９】
次に、書込制御部５６は、ＵＲＬ情報テーブル５２３（図２９）におけるｊ番目の情報を確認する（ステップＳ６０４）。ＵＲＬ情報テーブル５２３にｊ番目の情報がない場合（ステップＳ６０５において“Ｎ”）には、この書込処理Ａ２のサブルーチンは終了する。
【０１７０】
ＵＲＬ情報テーブル５２３にｊ番目の情報がある場合（ステップＳ６０５において“Ｙ”）には、書込制御部５６は、ステップＳ６０１において取得した“マニュアルページＭＰのＵＲＬ情報”と、ＵＲＬ情報テーブル５２３におけるｊ番目の“マニュアルページＭＰのＵＲＬ情報”とを比較する（ステップＳ６０６）。２つの“マニュアルページＭＰのＵＲＬ情報”が一致しない場合（ステップＳ６０７において“Ｎ”）には、変数ｊをインクリメントし（ステップＳ６０８）、ステップＳ６０４に戻る。
【０１７１】
２つの“マニュアルページＭＰのＵＲＬ情報”が一致する場合（ステップＳ６０７において“Ｙ”）には、書込制御部５６は、ＵＲＬ情報テーブル５２３におけるｊ番目の表示フラグが“モバイル端末”であるかどうかを確認する（ステップＳ６１１）。ＵＲＬ情報テーブル５２３におけるｊ番目の表示フラグが“モバイル端末”ではない場合（ステップＳ６１１において“Ｎ”）には、表示部１７は、書込制御部５６からの指示に基づいて、ＵＲＬ情報テーブル５２３におけるｊ番目の階層情報ＩＮＦに対応する表示画面Ｐを表示する（ステップＳ５１８）。そして、この書込処理Ａ２のサブルーチンは終了する。
【０１７２】
ＵＲＬ情報テーブル５２３におけるｊ番目の表示フラグが“モバイル端末”である場合（ステップＳ６１１において“Ｙ”）には、書込制御部５６は、アプリケーション識別子ＡＩＤ＝１０に対応するＮＤＥＦメッセージ領域３２１の装置情報記憶領域３２１ＢにおけるレコードＲＢ１に、ＵＲＬ情報テーブル５２３におけるｊ番目の“装置設定ページＳＰＡのＵＲＬ情報”を書き込む（ステップＳ６１３）。
【０１７３】
次に、書込制御部５６は、アプリケーション識別子ＡＩＤ＝１０に対応するＮＤＥＦメッセージ領域３２１の装置情報記憶領域３２１ＢにおけるレコードＲＢ２に、無線ネットワーク情報２２１に含まれるＩＰアドレスを書き込む（ステップＳ６１４）。
【０１７４】
次に、書込制御部５６は、アプリケーション識別子ＡＩＤ＝１０に対応するＮＤＥＦメッセージ領域３２１の装置情報記憶領域３２１ＢにおけるレコードＲＢ３に、無線ネットワーク情報２２１に含まれるＳＳＩＤを書き込む（ステップＳ６１５）。
【０１７５】
次に、書込制御部５６は、アプリケーション識別子ＡＩＤ＝１０に対応するＮＤＥＦメッセージ領域３２１の装置情報記憶領域３２１ＢにおけるレコードＲＢ４に、無線ネットワーク情報２２１に含まれるパスワードを書き込む（ステップＳ６１６）。
【０１７６】
次に、書込制御部５６は、アプリケーション識別子ＡＩＤ＝１０に対応するＮＤＥＦメッセージ領域３２１の装置情報記憶領域３２１ＢにおけるレコードＲＢ５に、無線ネットワーク情報２２１に含まれるセキュリティ種別情報を書き込む（ステップＳ６１７）。
【０１７７】
以上で、この書込処理Ａ２のサブルーチンは終了する。
【０１７８】
このように、情報処理システム３では、画像処理装置５０は、モバイル端末３０から供給されたマニュアルページＭＰのＵＲＬ情報に基づいて、表示画面Ｐを表示するか、モバイル端末３０に装置設定ページＳＰＡを表示させるかを選択的に判断するようにした。これにより、情報処理システム３では、例えば、設定項目が多い装置設定を行う場合に、モバイル端末３０に装置設定ページＳＰＡを表示させることができる。その結果、情報処理システム３では、ユーザの利便性を高めることができる。
【０１７９】
以上のように本実施の形態では、モバイル端末から供給されたマニュアルページのＵＲＬ情報に基づいて、表示画面を表示するか、モバイル端末に装置設定ページを表示させるかを選択的に判断するようにしたので、ユーザの利便性を高めることができる。
【０１８０】
＜４．第４の実施の形態＞
次に、第４の実施の形態に係る情報処理システム４について説明する。本実施の形態は、モバイル端末に、画像処理装置に表示される画面と同様の設定関連画面を表示させるものである。なお、上記第１の実施の形態に係る情報処理システム１と実質的に同一の構成部分には同一の符号を付し、適宜説明を省略する。
【０１８１】
情報処理システム４は、図１に示したように、画像処理装置６０と、モバイル端末７０とを備えている。情報処理システム４は、モバイル端末７０が、装置設定に関するマニュアルページＭＰを表示しているときに、ユーザが、モバイル端末７０を画像処理装置６０にかざすことにより、モバイル端末７０が、表示しているマニュアルページＭＰに対応する、装置設定ページＳＰＡ、設定確認ページＳＰＢ、装置設定画面ＳＱＡ、および設定確認画面ＳＱＢのうちの１つを表示するものである。装置設定画面ＳＱＡは、上記第１の実施の形態等に係る装置設定ページＳＰＡと同様に、画像処理装置６０の装置設定を行うための画面である。設定確認画面ＳＱＢは、上記第１の実施の形態等に係る設定確認ページＳＰＢと同様に、画像処理装置６０の装置設定を確認するための画面である。
【０１８２】
図３１は、モバイル端末７０が装置設定画面ＳＱＡを表示しているときの、表示画面の一例を表すものである。この例では、モバイル端末７０は、ネットワーク設定についての装置設定画面ＳＱＡを表示している。すなわち、この装置設定画面ＳＱＡは、図２に示した、ネットワーク設定についての操作方法に係るマニュアルページＭＰに対応するものである。装置設定画面ＳＱＡは、例えば画像処理装置６０の管理者が、画像処理装置６０の操作部１６を操作することによりネットワーク設定を行う場合に、画像処理装置６０の表示部１７に表示される画面と同じ画面である。
【０１８３】
図３２は、モバイル端末７０が設定確認画面ＳＱＢを表示しているときの、表示画面の一例を表すものである。この例では、モバイル端末７０は、ネットワーク設定についての設定確認画面ＳＱＢを表示している。すなわち、この設定確認画面ＳＱＢは、図２に示した、ネットワーク設定についての操作方法に係るマニュアルページＭＰに対応するものである。設定確認画面ＳＱＢは、例えば画像処理装置６０の一般ユーザが、画像処理装置６０の操作部１６を操作することによりネットワーク設定の確認を行う場合に、画像処理装置６０の表示部１７に表示される画面と同じ画面である。
【０１８４】
モバイル端末７０には、装置設定画面ＳＱＡおよび設定確認画面ＳＱＢの画像データを含む画像データベース７６２（後述）が格納されており、操作ガイドアプリケーションソフトウェア７６１（後述）が、この画像データベース７６２を用いて装置設定画面ＳＱＡまたは設定確認画面ＳＱＢを表示する。画像データベース７６２は、操作ガイドアプリケーションソフトウェア７６１がインストールされたときにモバイル端末７０に格納される。この画像データベース７６２は、画像処理装置６０のプラットフォームで用いられるように構成されている。すなわち、画像データベース７６２は、例えば、画像処理装置６０で用いられるオペレーティングシステムで取り扱われることができるように構成されている。そして、モバイル端末７０で用いられるオペレーティングシステムが、画像処理装置６０で用いられるオペレーティングシステムと互換性がある場合には、モバイル端末７０は、この画像データベース７６２を取り扱うことができるため、この画像データベース７６２を用いて装置設定画面ＳＱＡまたは設定確認画面ＳＱＢを表示することができるようになっている。
【０１８５】
情報処理システム４では、モバイル端末７０が、装置設定に関するマニュアルページＭＰを表示しているときに、ユーザが、モバイル端末７０を画像処理装置６０にかざすことにより、マニュアルページＭＰのＵＲＬ情報に加え、モバイル端末７０におけるオペレーティングシステムについての情報（端末ＯＳ情報ＩＯＳ）を画像処理装置６０に供給する。そして、画像処理装置６０は、この端末ＯＳ情報ＩＯＳに基づいて、モバイル端末７０で用いられるオペレーティングシステムが、画像処理装置６０で用いられるオペレーティングシステムと互換性があるかどうかを確認し、互換性がある場合には、画面識別子ＱＩＤをモバイル端末７０に対して供給する。これにより、モバイル端末７０は、この画面識別子ＱＩＤに基づいて、画像データベース７６２を用いて、装置設定画面ＳＱＡまたは設定確認画面ＳＱＢを表示することができる。
【０１８６】
また、オペレーティングシステムに互換性がない場合には、画像処理装置６０は、第１の実施の形態の場合と同様に、装置設定ページＳＰＡまたは設定確認ページＳＰＢのＵＲＬ情報をモバイル端末７０に対して供給する。これにより、モバイル端末７０は、第１の実施の形態の場合と同様に、このＵＲＬ情報に基づいて、装置設定ページＳＰＡまたは設定確認ページＳＰＢを表示することができるようになっている。
【０１８７】
これ以降、装置設定画面ＳＱＡおよび設定確認画面ＳＱＢのうちの一方を表すものとして、“設定関連画面ＳＱ”を適宜用いる。
【０１８８】
図３３は、画像処理装置６０およびモバイル端末７０の一構成例を表すものである。
【０１８９】
画像処理装置６０は、情報管理部６２と、制御部６３とを有している。情報管理部６２は、ＵＲＬ情報テーブル６２３を管理している。
【０１９０】
図３４は、ＵＲＬ情報テーブル６２３の一例を表すものである。ＵＲＬ情報テーブル６２３は、マニュアルページＭＰのＵＲＬ情報、装置設定ページＳＰＡのＵＲＬ情報、設定確認ページＳＰＢのＵＲＬ情報、装置設定画面ＳＱＡの画面識別子ＱＩＤ、および設定確認画面ＳＱＢの画面識別子ＱＩＤが、互いに対応づけられて記憶されたものである。画面識別子ＱＩＤは、設定関連画面ＳＱに対応づけられた、設定関連画面ＳＱのそれぞれに固有の識別子である。
【０１９１】
制御部６３は、書込制御部６６を有している。書込制御部６６は、モバイル端末７０へ情報を書き込む書込処理Ａ２を行うものである。
【０１９２】
モバイル端末７０は、制御部７６と、ＮＤＥＦ記憶部７２とを有している。
【０１９３】
制御部７６は、操作ガイドアプリケーションソフトウェア７６１を実行するものである。操作ガイドアプリケーションソフトウェア７６１は、画像データベース７６２を含んでいる。画像データベース７６２は、設定関連画面ＳＱの画像データ、および設定関連画面ＳＱの画面識別子ＱＩＤが、互いに対応づけられて記憶されたものである。画像データベース７６２は、操作ガイドアプリケーションソフトウェア７６１がインストールされたときに、例えば制御部７６の不揮発性の記憶装置に格納される。モバイル端末７０は、画像処理装置６０から供給された画面識別子ＱＩＤに基づいて設定関連画面ＳＱを表示することができるようになっている。
【０１９４】
ＮＤＥＦ記憶部７２は、近距離無線通信Ｃ１を用いてやりとりする情報を記憶するものである。ＮＤＥＦ記憶部７２には、ＮＤＥＦメッセージ領域７２１が設けられている。
【０１９５】
図３５は、ＮＤＥＦメッセージ領域７２１の一例を表すものである。ＮＤＥＦメッセージ領域７２１は、端末情報記憶領域７２１Ａと、装置情報記憶領域７２１Ｂとを含んでいる。
【０１９６】
端末情報記憶領域７２１Ａは、アプリケーション固有情報記憶領域７２３Ａを含んでいる。アプリケーション固有情報記憶領域７２３ＡのレコードＲＡ１にはマニュアルページＭＰのＵＲＬ情報が格納され、レコードＲＡ２にはモバイル端末７０の端末識別情報ＩＤが格納され、レコードＲＡ３には端末ＯＳ情報ＩＯＳが格納されるようになっている。端末ＯＳ情報ＩＯＳは、モバイル端末７０において用いられるオペレーティングシステムについての情報であり、例えばオペレーティングシステムを識別するための識別子、オペレーティングシステムのバージョン情報などについての情報を含んでいる。
【０１９７】
装置情報記憶領域７２１ＢのレコードＲＢ１には、設定関連ページＳＰ（装置設定ページＳＰＡまたは設定確認ページＳＰＢ）のＵＲＬ情報または設定関連画面ＳＱ（装置設定画面ＳＱＡまたは設定確認画面ＳＱＢ）の画面識別子ＱＩＤが格納され、レコードＲＢ２にはＩＰアドレスが格納され、レコードＲＢ３にはＳＳＩＤが格納され、レコードＲＢ４にはパスワードが格納され、レコードＲＢ５にはセキュリティ種別情報が格納されるようになっている。
【０１９８】
ここで、モバイル端末７０は、本発明における「端末装置」の一具体例に対応する。制御部７６は、本発明における「制御部」の一具体例に対応する。画像処理装置６０は、本発明における「情報処理装置」の一具体例に対応する。情報管理部６２、ＷＥＢサーバ１４、装置設定管理部１５、および制御部６３は、本発明における「生成部」の一具体例に対応する。情報管理部６２は、本発明における「データベース」の一具体例に対応する。装置設定ページＳＰＡ、設定確認ページＳＰＢ、装置設定画面ＳＱＡ、および設定確認画面ＳＱＢは、本発明における「第１の設定関連情報」の一具体例に対応する。端末ＯＳ情報ＩＯＳは、本発明における「プラットフォーム識別子」の一具体例に対応する。
【０１９９】
図３６Ａ，３６Ｂは、情報処理システム４の一動作例を表すものである。まず、ユーザがモバイル端末７０の操作部３４を操作することにより、ブラウザソフトウェアの起動を指示すると、モバイル端末７０の表示部３５は、画像処理装置６０の操作マニュアルのトップページを表示する（ステップＳ１０１）。そして、ユーザが引き続き操作部３４を操作し、例えば操作マニュアルにおいてキーワード検索を行うことにより、装置設定の設定方法を調べる。そして、モバイル端末７０の表示部３５は、例えば図２に示したように、装置設定についてのマニュアルページＭＰを表示する（ステップＳ１０２）。
【０２００】
次に、ユーザが操作ガイドアプリケーションソフトウェア７６１の起動を指示すると、モバイル端末７０の制御部７６は、操作ガイドアプリケーションソフトウェア７６１を起動する（ステップＳ１０３）。そして、操作ガイドアプリケーションソフトウェア７６１は、操作ガイドアプリケーションソフトウェア７６１に対応するＮＤＥＦメッセージ領域７２１の端末情報記憶領域７２１Ａにおけるアプリケーション状態情報記憶領域３２２Ａに、操作ガイドアプリケーションソフトウェア７６１がインストールされており、かつ起動されている状態を示すフラグ“１”を含むアプリケーション状態情報を記憶させる。
【０２０１】
次に、操作ガイドアプリケーションソフトウェア７６１は、ＮＤＥＦメッセージ領域７２１の端末情報記憶領域７２１ＡにおけるレコードＲＡ１に、表示部３５が表示しているマニュアルページＭＰのＵＲＬ情報を書き込み、レコードＲＡ２に、モバイル端末７０の端末識別情報ＩＤを書き込み、レコードＲＡ３に、端末ＯＳ情報ＩＯＳを書き込む（ステップＳ７０４）。そして、操作ガイドアプリケーションソフトウェア７６１は、そのＮＤＥＦメッセージ領域７２１の装置情報記憶領域７２１Ｂに格納された全ての情報を消去する。
【０２０２】
次に、ユーザは、モバイル端末７０を、画像処理装置６０のＮＦＣリーダライタ１１にかざすと、画像処理装置６０の端末検出部２４は、モバイル端末７０を検出する（ステップＳ１０５）。そして、画像処理装置６０のＮＦＣリーダライタ１１は、近距離無線通信Ｃ１を用いて、モバイル端末７０の端末情報記憶領域７２１ＡにおけるレコードＲＡ１に格納されたマニュアルページＭＰのＵＲＬ情報、レコードＲＡ２に格納された端末識別情報ＩＤ、およびレコードＲＡ３に格納された端末ＯＳ情報ＩＯＳを読み出す（ステップＳ７０６）。
【０２０３】
次に、画像処理装置６０の制御部６３は、ステップＳ７０６で読み出した端末ＯＳ情報ＩＯＳに基づいて、設定関連ページＳＰおよび設定関連画面ＳＱのうちの一方を選択する（ステップＳ７０７）。具体的には、制御部６３は、端末ＯＳ情報ＩＯＳに基づいて、モバイル端末７０のオペレーティングシステムが、画像処理装置６０のオペレーティングシステムと互換性があるかどうかを確認する。そして、制御部６３は、互換性がある場合には設定関連画面ＳＱを選択し、互換性がない場合には設定関連ページＳＰを選択する。以下では、制御部６３が設定関連画面ＳＱを選択した場合を例に挙げて説明する。
【０２０４】
制御部６３は、ステップＳ７０７において端末ＯＳ情報ＩＯＳに基づいて設定関連画面ＳＱを選択した場合には、ステップＳ７０６で読み出したマニュアルページＭＰのＵＲＬ情報および端末識別情報ＩＤに基づいて、設定関連画面ＳＱの画面識別子ＱＩＤを取得する（ステップＳ７０８）。具体的には、制御部６３は、まず、ステップＳ７０６で読み出した端末識別情報ＩＤに基づいて、情報管理部６２が管理しているユーザ情報テーブル２２２（図７）を用いて、その端末識別情報ＩＤに対応する権限情報を取得する。そして、制御部６３は、ステップＳ７０６で読み出したマニュアルページＭＰのＵＲＬ情報に基づいて、情報管理部６２が管理しているＵＲＬ情報テーブル６２３（図３４）を用いて、そのマニュアルページＭＰのＵＲＬ情報に対応する設定関連画面ＳＱ（装置設定画面ＳＱＡまたは設定確認画面ＳＱＢ）の画面識別子ＱＩＤを取得する。その際、制御部６３は、取得した権限情報が、ユーザが管理者として登録されていることを示す場合には、装置設定画面ＳＱＡの画面識別子ＱＩＤを取得し、一般ユーザとして登録されていることを示す場合には、設定確認画面ＳＱＢの画面識別子ＱＩＤを取得する。
【０２０５】
次に、画像処理装置６０のＮＦＣリーダライタ１１は、近距離無線通信Ｃ１を用いて、モバイル端末７０の装置情報記憶領域７２１ＢにおけるレコードＲＢ１に設定関連画面ＳＱの画面識別子ＱＩＤを書き込み、レコードＲＢ２〜ＲＢ５にＩＰアドレス、ＳＳＩＤ、パスワード、およびセキュリティ種別情報をそれぞれ書き込む（ステップＳ７０９）。これにより、設定関連画面ＳＱの画面識別子ＱＩＤ、ＩＰアドレス、ＳＳＩＤ、パスワード、およびセキュリティ種別情報がモバイル端末７０に供給される（ステップＳ７１０）。
【０２０６】
次に、画像処理装置６０は、ブザー音を発生させる（ステップＳ１１０）。これにより、画像処理装置６０は、ユーザに対して、モバイル端末７０をＮＦＣリーダライタ１１から外してよい旨を知らせる。これに応じて、ユーザは、モバイル端末７０を画像処理装置６０のＮＦＣリーダライタ１１から外す。
【０２０７】
モバイル端末７０の操作ガイドアプリケーションソフトウェア７６１は、モバイル端末７０がＮＦＣリーダライタ１１から外されたことを検出し、無線ネットワーク通信部３３が記憶している無線ネットワーク情報３３１を、無線ネットワーク情報３３１ＡとしてＲＡＭに一旦退避する（ステップＳ１１１）。
【０２０８】
次に、操作ガイドアプリケーションソフトウェア７６１は、装置情報記憶領域７２１ＢのレコードＲＢ２〜ＲＢ５に格納された情報（ＩＰアドレス、ＳＳＩＤ、パスワード、およびセキュリティ種別情報）に基づいてネットワーク設定を行う（ステップＳ１１２）。これにより、無線ネットワーク通信部３３は、これ以降、無線ネットワーク通信Ｃ２を用いて、画像処理装置６０と通信を行うことができるようになる。
【０２０９】
次に、モバイル端末７０の表示部３５は、装置情報記憶領域７２１ＢのレコードＲＢ１に格納された画面識別子ＱＩＤに対応する設定関連画面ＳＱを表示する（ステップＳ７１３）。具体的には、モバイル端末７０の操作ガイドアプリケーションソフトウェア７６１は、画像データベース７６２を用いて、装置情報記憶領域７２１ＢのレコードＲＢ１に格納された画面識別子ＱＩＤに対応する設定関連画面ＳＱの画像データを特定し、表示部３５はこの画像データに基づいて設定関連画面ＳＱを表示する。
【０２１０】
そして、ユーザは、モバイル端末７０の操作部３４を操作する。すなわち、例えば、ユーザが画像処理装置６０の管理者である場合には、表示部３５は、例えば図３１に示したように、装置設定画面ＳＱＡを表示する。この場合には、ユーザは、操作部３４を操作することにより、装置設定の変更を指示する。モバイル端末７０は、装置設定の変更指示を画像処理装置６０に供給し、画像処理装置６０の装置設定管理部１５が、その指示に基づいて装置設定を変更する。このようにして、ユーザは、画像処理装置６０の装置設定を行うことができる。また、例えば、ユーザが画像処理装置６０の一般ユーザである場合には、表示部３５は、例えば図３２に示したように、設定確認画面ＳＱＢを表示する。この場合には、ユーザは、画像処理装置６０の装置設定を確認することができる。
【０２１１】
そして、ユーザが、モバイル端末７０の操作部３４を操作することにより、操作ガイドアプリケーションソフトウェア７６１の終了を指示すると、操作ガイドアプリケーションソフトウェア７６１は、ステップＳ１１１においてＲＡＭに退避された無線ネットワーク情報３３１Ａを、無線ネットワーク情報３３１として、無線ネットワーク通信部３３に再度記憶させることによりネットワーク設定を行う（ステップＳ１１６）。
【０２１２】
そして、モバイル端末７０の制御部７６は、操作ガイドアプリケーションソフトウェア７６１を終了する（ステップＳ１１７）。
【０２１３】
以上で、このシーケンスは終了する。
【０２１４】
この例では、オペレーティングシステムに互換性があるので、制御部６３は、ステップＳ７０７において設定関連画面ＳＱを選択したが、オペレーティングシステムに互換性がない場合には、制御部６３は設定関連ページＳＰを選択する。以下に、オペレーティングシステムの互換性がない場合の動作について説明する。
【０２１５】
図３７Ａ，３７Ｂは、オペレーティングシステムの互換性がない場合における情報処理システム４の一動作例を表すものである。ステップＳ１０１〜Ｓ１０３，Ｓ７０４，Ｓ１０５，Ｓ７０６，Ｓ７０７は、図３６Ａと同様である。
【０２１６】
制御部６３は、ステップＳ７０７において設定関連ページＳＰを選択した場合には、ステップＳ７０６で読み出したマニュアルページＭＰのＵＲＬ情報および端末識別情報ＩＤに基づいて、設定関連ページＳＰのＵＲＬ情報を取得する（ステップＳ７１８）。具体的には、制御部６３は、まず、ステップＳ７０６で読み出した端末識別情報ＩＤに基づいて、情報管理部６２が管理しているユーザ情報テーブル２２２（図７）を用いて、その端末識別情報ＩＤに対応する権限情報を取得する。そして、制御部６３は、ステップＳ７０６で読み出したマニュアルページＭＰのＵＲＬ情報に基づいて、情報管理部６２が管理しているＵＲＬ情報テーブル６２３（図３４）を用いて、そのマニュアルページＭＰのＵＲＬ情報に対応する設定関連ページＳＰ（装置設定ページＳＰＡまたは設定確認ページＳＰＢ）のＵＲＬ情報を取得する。その際、制御部６３は、取得した権限情報が、ユーザが管理者として登録されていることを示す場合には、装置設定ページＳＰＡのＵＲＬ情報を取得し、一般ユーザとして登録されていることを示す場合には、設定確認ページＳＰＢのＵＲＬ情報を取得する。
【０２１７】
次に、画像処理装置６０のＮＦＣリーダライタ１１は、近距離無線通信Ｃ１を用いて、モバイル端末７０の装置情報記憶領域７２１ＢにおけるレコードＲＢ１に設定関連ページＳＰのＵＲＬ情報を書き込み、レコードＲＢ２〜ＲＢ５にＩＰアドレス、ＳＳＩＤ、パスワード、およびセキュリティ種別情報をそれぞれ書き込む（ステップＳ１０８）。これにより、設定関連ページＳＰのＵＲＬ情報、ＩＰアドレス、ＳＳＩＤ、パスワード、およびセキュリティ種別情報がモバイル端末７０に供給される（ステップＳ１０９）。
【０２１８】
次に、画像処理装置６０は、ブザー音を発生させる（ステップＳ１１０）。これにより、画像処理装置６０は、ユーザに対して、モバイル端末７０をＮＦＣリーダライタ１１から外してよい旨を知らせる。これに応じて、ユーザは、モバイル端末７０を画像処理装置６０のＮＦＣリーダライタ１１から外す。
【０２１９】
これ以降の動作は、上記第１の実施の形態の場合（図１４Ｂ）と同様である。
【０２２０】
図３６ＡのステップＳ７０６〜Ｓ７１０、および図３７ＡのステップＳ７０６，Ｓ７０７，Ｓ７１８，Ｓ１０８，Ｓ１０９は、書込制御部６６の書込処理Ａ２に対応する。次に、この書込処理Ａ２について詳細に説明する。
【０２２１】
図３８Ａ〜３８Ｃは、書込制御部６６の書込処理Ａ２のサブルーチン一例を表すものである。
【０２２２】
まず、書込制御部６６は、アプリケーション識別子ＡＩＤ＝１０に対応するＮＤＥＦメッセージ領域７２１の端末情報記憶領域７２１ＡにおけるレコードＲＡ１に格納された情報（マニュアルページＭＰのＵＲＬ情報）を取得する（ステップＳ３２１）。マニュアルページＭＰのＵＲＬ情報を取得できなかった場合（ステップＳ３２２において“Ｎ”）には、この書込処理Ａ２のサブルーチンは終了する。
【０２２３】
マニュアルページＭＰのＵＲＬ情報を取得できた場合（ステップＳ３２２において“Ｙ”）には、書込制御部６６は、アプリケーション識別子ＡＩＤ＝１０に対応するＮＤＥＦメッセージ領域７２１の端末情報記憶領域７２１ＡにおけるレコードＲＡ２に格納された情報（端末識別情報ＩＤ）を取得する（ステップＳ３２３）。
【０２２４】
次に、書込制御部６６は、ステップＳ３２３において取得した端末識別情報ＩＤに基づいて、ユーザ情報テーブル２２２（図７）を用いて、その端末識別情報ＩＤに対応する権限情報を取得する（ステップＳ３２４）。
【０２２５】
次に、書込制御部６６は、変数ｊを０（ｊ＝０）に設定する（ステップＳ３２５）。
【０２２６】
次に、書込制御部６６は、ＵＲＬ情報テーブル６２３（図３４）におけるｊ番目の情報を確認する（ステップＳ３２６）。ＵＲＬ情報テーブル６２３にｊ番目の情報がない場合（ステップＳ３２７において“Ｎ”）には、この書込処理Ａ２のサブルーチンは終了する。
【０２２７】
ＵＲＬ情報テーブル６２３にｊ番目の情報がある場合（ステップＳ３２７において“Ｙ”）には、書込制御部６６は、ステップＳ３２１において取得した“マニュアルページＭＰのＵＲＬ情報”と、ＵＲＬ情報テーブル６２３におけるｊ番目の“マニュアルページＭＰのＵＲＬ情報”とを比較する（ステップＳ３２８）。２つの“マニュアルページＭＰのＵＲＬ情報”が一致しない場合（ステップＳ３２９において“Ｎ”）には、書込制御部６６は、変数ｊをインクリメントし（ステップＳ３３０）、ステップＳ３２６に戻る。
【０２２８】
２つの“マニュアルページＭＰのＵＲＬ情報”が一致する場合（ステップＳ３２９において“Ｙ”）には、書込制御部６６は、アプリケーション識別子ＡＩＤ＝１０に対応するＮＤＥＦメッセージ領域７２１の端末情報記憶領域７２１ＡにおけるレコードＲＡ３に格納された情報（端末ＯＳ情報ＩＯＳ）を取得する（ステップＳ３４１）。
【０２２９】
次に、書込制御部６６は、ステップＳ３４１において取得した端末ＯＳ情報ＩＯＳに基づいて、モバイル端末７０のオペレーティングシステムが、画像処理装置６０のオペレーティングシステムと互換性があるかどうかを確認する（ステップＳ３４２）。
【０２３０】
ステップＳ３４２において、オペレーティングシステムの互換性がある場合（ステップＳ３４２において“Ｙ”）、書込制御部６６は、ステップＳ３２４において取得した権限情報を確認する（ステップＳ３４３）。この権限情報が、管理者として登録されていることを示す場合（ステップＳ３４３において“Ｙ”）には、書込制御部６６は、アプリケーション識別子ＡＩＤ＝１０に対応するＮＤＥＦメッセージ領域７２１の装置情報記憶領域７２１ＢにおけるレコードＲＢ１に、ＵＲＬ情報テーブル６２３におけるｊ番目の“装置設定画面ＳＱＡの画面識別子ＱＩＤ”を書き込む（ステップＳ３４４）。また、権限情報が、一般ユーザとして登録されていることを示す場合（ステップＳ３４３において“Ｎ”）には、書込制御部６６は、アプリケーション識別子ＡＩＤ＝１０に対応するＮＤＥＦメッセージ領域７２１の装置情報記憶領域７２１ＢにおけるレコードＲＢ１に、ＵＲＬ情報テーブル６２３におけるｊ番目の“設定確認画面ＳＱＢの画面識別子ＱＩＤ”を書き込む（ステップＳ３４５）。そして、ステップＳ３３４に進む。
【０２３１】
一方、ステップＳ３４２において、オペレーティングシステムの互換性がない場合（ステップＳ３４２において“Ｎ”）、書込制御部６６は、ステップＳ３２４において取得した権限情報を確認する（ステップＳ３４６）。この権限情報が、管理者として登録されていることを示す場合（ステップＳ３４６において“Ｙ”）には、書込制御部６６は、アプリケーション識別子ＡＩＤ＝１０に対応するＮＤＥＦメッセージ領域７２１の装置情報記憶領域７２１ＢにおけるレコードＲＢ１に、ＵＲＬ情報テーブル６２３におけるｊ番目の“装置設定ページＳＰＡのＵＲＬ情報”を書き込む（ステップＳ３４７）。また、権限情報が、一般ユーザとして登録されていることを示す場合（ステップＳ３４６において“Ｎ”）には、書込制御部６６は、アプリケーション識別子ＡＩＤ＝１０に対応するＮＤＥＦメッセージ領域７２１の装置情報記憶領域７２１ＢにおけるレコードＲＢ１に、ＵＲＬ情報テーブル６２３におけるｊ番目の“設定確認ページＳＰＢのＵＲＬ情報”を書き込む（ステップＳ３４８）。そして、ステップＳ３３４に進む。
【０２３２】
次に、書込制御部６６は、アプリケーション識別子ＡＩＤ＝１０に対応するＮＤＥＦメッセージ領域７２１の装置情報記憶領域７２１ＢにおけるレコードＲＢ２に、無線ネットワーク情報２２１に含まれるＩＰアドレスを書き込む（ステップＳ３３４）。
【０２３３】
次に、書込制御部４６は、アプリケーション識別子ＡＩＤ＝１０に対応するＮＤＥＦメッセージ領域７２１の装置情報記憶領域７２１ＢにおけるレコードＲＢ３に、無線ネットワーク情報２２１に含まれるＳＳＩＤを書き込む（ステップＳ３３５）。
【０２３４】
次に、書込制御部４６は、アプリケーション識別子ＡＩＤ＝１０に対応するＮＤＥＦメッセージ領域７２１の装置情報記憶領域７２１ＢにおけるレコードＲＢ４に、無線ネットワーク情報２２１に含まれるパスワードを書き込む（ステップＳ３３６）。
【０２３５】
次に、書込制御部４６は、アプリケーション識別子ＡＩＤ＝１０に対応するＮＤＥＦメッセージ領域７２１の装置情報記憶領域７２１ＢにおけるレコードＲＢ５に、無線ネットワーク情報２２１に含まれるセキュリティ種別情報を書き込む（ステップＳ３３７）。
【０２３６】
以上で、この書込処理Ａ２のサブルーチンは終了する。
【０２３７】
図３９は、ユーザがモバイル端末７０を画像処理装置６０のＮＦＣリーダライタ１１から外した後のモバイル端末７０の一動作例を表すものである。
【０２３８】
まず、操作ガイドアプリケーションソフトウェア７６１は、モバイル端末７０がＮＦＣリーダライタ１１から外れたかどうかを確認する（ステップＳ４０１）。モバイル端末７０がＮＦＣリーダライタ１１から外れていない場合（ステップＳ４０１において“Ｎ”）には、ステップＳ４０１に戻る。
【０２３９】
モバイル端末７０がＮＦＣリーダライタ１１から外れている場合（ステップＳ４０１において“Ｙ”）には、操作ガイドアプリケーションソフトウェア７６１は、操作ガイドアプリケーションソフトウェア７６１に対応するＮＤＥＦメッセージ領域７２１の装置情報記憶領域７２１Ｂに情報が書き込まれているかどうかを確認する（ステップＳ４０２）。装置情報記憶領域７２１Ｂに情報が書き込まれていない場合（ステップＳ４０３において“Ｎ”）には、このフローは終了する。
【０２４０】
装置情報記憶領域７２１Ｂに情報が書き込まれている場合（ステップＳ４０３において“Ｙ”）には、操作ガイドアプリケーションソフトウェア７６１は、無線ネットワーク通信部３３が記憶している無線ネットワーク情報３３１を、無線ネットワーク情報３３１Ａとして、ＲＡＭに一旦退避する（ステップＳ４０４）。
【０２４１】
次に、操作ガイドアプリケーションソフトウェア７６１は、装置情報記憶領域７２１ＢのレコードＲＢ２〜ＲＢ５に格納された情報（ＩＰアドレス、ＳＳＩＤ、パスワード、およびセキュリティ種別情報）に基づいてネットワーク設定を行う（ステップＳ４０５）。
【０２４２】
次に、操作ガイドアプリケーションソフトウェア７６１は、装置情報記憶領域７２１ＢのレコードＲＢ１に格納された情報を取得する（ステップＳ４２５）。そして、操作ガイドアプリケーションソフトウェア７６１は、このステップＳ４２５において取得した情報が、設定関連画面ＳＱの画面識別子ＱＩＤおよび設定関連ページＳＰのＵＲＬ情報のうちのどちらであるかを確認する（ステップＳ４２６）。
【０２４３】
ステップＳ４２５において取得した情報が、設定関連画面ＳＱの画面識別子ＱＩＤである場合（ステップＳ４２６において“画面識別子ＱＩＤ”）には、操作ガイドアプリケーションソフトウェア７６１は、画像データベース７６２を用いて、その画面識別子ＱＩＤに対応する設定関連画面ＳＱの画像データを特定し、表示部３５は、この画像データに基づいて設定関連画面ＳＱを表示する（ステップＳ４２７）。
【０２４４】
一方、ステップＳ４２５において取得した情報が、設定関連ページＳＰのＵＲＬ情報である場合（ステップＳ４２６において“ＵＲＬ情報”）には、操作ガイドアプリケーションソフトウェア７６１は、その設定関連ページＳＰのＵＲＬ情報をブラウザソフトウェアに供給し、ブラウザソフトウェアは、設定関連ページＳＰのＵＲＬ情報に基づいて、設定関連ページＳＰを取得し、表示部３５は、この設定関連ページＳＰを表示する（ステップＳ４２８）。
【０２４５】
次に、操作ガイドアプリケーションソフトウェア７６１は、装置情報記憶領域７２１Ｂに格納された全ての情報を消去する（ステップＳ４０８）。
【０２４６】
以上で、このフローは終了する。
【０２４７】
このように、情報処理システム４では、モバイル端末７０が、画像処理装置６０に表示される画面と同様の設定関連画面ＳＱを表示するようにした。これにより、ユーザは、画像処理装置６０を直接操作するときと同じようにモバイル端末７０を操作することにより、画像処理装置６０の装置設定を行い、あるいは画像処理装置６０の装置設定の確認を行うことができるので、ユーザの利便性を高めることができる。
【０２４８】
また、情報処理システム４では、端末ＯＳ情報ＩＯＳに基づいて、画像処理装置６０が、モバイル端末７０に対して、設定関連画面ＳＱの画面識別子ＱＩＤまたは設定関連ページＳＰのＵＲＬ情報を供給するようにした。具体的には、モバイル端末７０で用いられるオペレーティングシステムが、画像処理装置６０で用いられるオペレーティングシステムと互換性がある場合には、画像処理装置６０は、モバイル端末７０に対して設定関連画面ＳＱの画面識別子ＱＩＤを供給し、モバイル端末７０で用いられるオペレーティングシステムが、画像処理装置６０で用いられるオペレーティングシステムと互換性がない場合には、画像処理装置６０は、モバイル端末７０に対して設定関連ページＳＰのＵＲＬ情報を供給するようにした。これにより、情報処理システム４では、モバイル端末７０は、オペレーティングシステムの互換性がないために設定関連画面ＳＱを表示できない場合でも、設定関連ページＳＰを表示することができるので、ユーザはこの設定関連ページＳＰを用いて、画像処理装置６０の装置設定を行い、あるいは画像処理装置６０の装置設定の確認を行うことができるため、ユーザの利便性を高めることができる。
【０２４９】
以上のように本実施の形態では、モバイル端末が画像処理装置に表示される画面と同様の設定関連画面を表示するようにしたので、ユーザの利便性を高めることができる。
【０２５０】
本実施の形態では、端末ＯＳ情報に基づいて、画像処理装置がモバイル端末に対して設定関連画面の画面識別子または設定関連ページのＵＲＬ情報を供給するようにしたので、モバイル端末は、オペレーティングシステムの互換性がないために設定関連画面を表示できない場合でも、設定関連ページを表示することができるので、ユーザの利便性を高めることができる。
【０２５１】
［変形例４−１］
上記実施の形態では、モバイル端末７０は、画像処理装置６０の装置設定を行い、画像処理装置６０の装置設定の確認を行うための設定関連ページＳＰおよび設定関連画面ＳＱを表示したが、これに限定されるものではない。例えば、この第４の実施の形態の情報処理システム４に、例えば、上記第２の実施の形態の技術を組み合わせ、コピーなどのジョブの設定を行うためのジョブ設定画面を表示してもよい。このジョブ設定画面は、例えば画像処理装置６０のユーザが、画像処理装置６０の操作部１６を操作することによりコピーなどのジョブの設定を行う場合に、画像処理装置６０の表示部１７に表示される画面と同じ画面であってもよい。
【０２５２】
＜５．第５の実施の形態＞
次に、第５の実施の形態に係る情報処理システム５について説明する。本実施の形態は、モバイル端末に、履歴データベースを記憶しておき、この履歴データベースを利用して、モバイル端末に設定関連画面ＳＱを表示させるものである。なお、上記第４の実施の形態に係る情報処理システム４と実質的に同一の構成部分には同一の符号を付し、適宜説明を省略する。
【０２５３】
情報処理システム５は、図１に示したように、画像処理装置６０と、モバイル端末８０とを備えている。情報処理システム５では、モバイル端末８０は、画像処理装置６０から画面識別子ＱＩＤを受け取る度に、マニュアルページＭＰのＵＲＬ情報とこの画面識別子ＱＩＤとを対応づけて履歴データベース８６３（後述）に登録する。そして、モバイル端末７０は、この履歴データベース８６３を利用して、設定関連画面ＳＱを表示する。これにより、情報処理システム５では、モバイル端末８０は、ユーザがモバイル端末８０を画像処理装置６０にかざすことなく、この履歴データベース８６３に登録された画面識別子ＱＩＤに対応する設定関連画面ＳＱを表示することができるようになっている。
【０２５４】
図４０は、モバイル端末８０の一構成例を表すものである。なお、この図４０には、画像処理装置６０をも図示している。モバイル端末８０は、制御部８６を有している。制御部８６は、操作ガイドアプリケーションソフトウェア８６１を実行するものである。操作ガイドアプリケーションソフトウェア８６１は、履歴データベース８６３を含んでいる。
【０２５５】
図４１は、履歴データベース８６３の一構成例を表すものである。履歴データベース８６３は、マニュアルページＭＰのＵＲＬ情報、装置設定画面ＳＱＡの画面識別子ＱＩＤ、設定確認画面ＳＱＢの画面識別子ＱＩＤ、ＩＰアドレス、ＳＳＩＤ、パスワード、およびセキュリティ種別情報が、互いに対応づけて記憶されたものである。ＩＰアドレス、ＳＳＩＤ、パスワード、およびセキュリティ種別情報は、画像処理装置６０から画面識別子ＱＩＤとともに受け取った情報であり、無線ネットワーク通信Ｃ２を用いて画像処理装置６０と通信を行う際に使用する情報である。
【０２５６】
この例では、ユーザは、画像処理装置６０において管理者として登録されて場合を示している。これにより、履歴データベース８６３には、装置設定画面ＳＱＡの画面識別子ＱＩＤが登録され、設定確認画面ＳＱＢの画面識別子ＱＩＤは登録されない。例えば、ユーザが、画像処理装置６０において一般ユーザとして登録されている場合には、履歴データベース８６３には、設定確認画面ＳＱＢの画面識別子ＱＩＤが登録され、装置設定画面ＳＱＡの画面識別子ＱＩＤは登録されない。また、この例では、モバイル端末８０は画像処理装置６０のみと通信を行うため、ＩＰアドレス、ＳＳＩＤ、パスワード、およびセキュリティ種別情報は、画像処理装置６０に係る情報のみが登録されているが、例えば他の画像処理装置と通信を行う場合には、ＩＰアドレス、ＳＳＩＤ、パスワード、およびセキュリティ種別情報は、その画像処理装置に係る情報が登録される。
【０２５７】
操作ガイドアプリケーションソフトウェア８６１は、画像処理装置６０から画面識別子ＱＩＤを受け取る度に、マニュアルページＭＰのＵＲＬ情報とこの画面識別子ＱＩＤとを対応づけて履歴データベース８６３に登録する。その際、操作ガイドアプリケーションソフトウェア８６１は、画像処理装置６０から供給された、無線ネットワーク通信Ｃ２を用いて画像処理装置６０と通信を行う際に使用する情報であるＩＰアドレス、ＳＳＩＤ、パスワード、およびセキュリティ種別情報をも、履歴データベース８６３に登録するようになっている。
【０２５８】
操作ガイドアプリケーションソフトウェア８６１は、マニュアルページＭＰのＵＲＬ情報を画像処理装置６０に供給する際、この履歴データベース８６３に、そのＵＲＬ情報が登録されているかどうかを確認する。そして、操作ガイドアプリケーションソフトウェア８６１は、履歴データベース８６３にマニュアルページＭＰのＵＲＬ情報が登録されている場合には、そのＵＲＬ情報に対応する画面識別子ＱＩＤに基づいて、画像データベース７６２を用いて、装置設定画面ＳＱＡまたは設定確認画面ＳＱＢを表示するようになっている。
【０２５９】
図４２は、情報処理システム５の一動作例を表すものである。まず、ユーザがモバイル端末８０の操作部３４を操作することにより、ブラウザソフトウェアの起動を指示すると、モバイル端末８０の表示部３５は、画像処理装置６０の操作マニュアルのトップページを表示する（ステップＳ１０１）。そして、ユーザが引き続き操作部３４を操作し、例えば操作マニュアルにおいてキーワード検索を行うことにより、装置設定の設定方法を調べる。そして、モバイル端末８０の表示部３５は、例えば図２に示したように、装置設定についてのマニュアルページＭＰを表示する（ステップＳ１０２）。
【０２６０】
次に、ユーザが操作ガイドアプリケーションソフトウェア８６１の起動を指示すると、モバイル端末８０の制御部８６は、操作ガイドアプリケーションソフトウェア８６１を起動する（ステップＳ１０３）。
【０２６１】
次に、操作ガイドアプリケーションソフトウェア８６１は、履歴データベース８６３に、表示部３５が表示しているマニュアルページＭＰのＵＲＬ情報が登録されているかどうかを確認する（ステップＳ８０３）。以下では、履歴データベース８６３にマニュアルページＭＰのＵＲＬ情報が登録されている場合を例に挙げて説明する。
【０２６２】
操作ガイドアプリケーションソフトウェア８６１は、ステップＳ８０３において履歴データベース８６３にマニュアルページＭＰのＵＲＬ情報が登録されている場合には、そのＵＲＬ情報に対応する画面識別子ＱＩＤ、ＩＰアドレス、ＳＳＩＤ、パスワード、およびセキュリティ種別情報を取得する（ステップＳ８０４）。
【０２６３】
次に、操作ガイドアプリケーションソフトウェア８６１は、無線ネットワーク通信部３３が記憶している無線ネットワーク情報３３１を、無線ネットワーク情報３３１ＡとしてＲＡＭに一旦退避する（ステップＳ８０５）。
【０２６４】
次に、操作ガイドアプリケーションソフトウェア８６１は、ステップＳ８０４において取得したＩＰアドレス、ＳＳＩＤ、パスワード、およびセキュリティ種別情報に基づいてネットワーク設定を行う（ステップＳ８０６）。これにより、無線ネットワーク通信部３３は、これ以降、無線ネットワーク通信Ｃ２を用いて、画像処理装置６０と通信を行うことができるようになる。
【０２６５】
次に、モバイル端末８０の表示部３５は、ステップＳ８０４において取得した画面識別子ＱＩＤに対応する設定関連画面ＳＱを表示する（ステップＳ８０７）。具体的には、モバイル端末８０の操作ガイドアプリケーションソフトウェア８６１は、画像データベース７６２を用いて、ステップＳ８０４において取得した画面識別子ＱＩＤに対応する設定関連画面ＳＱの画像データを特定し、表示部３５はこの画像データに基づいて設定関連画面ＳＱを表示する。
【０２６６】
そして、ユーザは、モバイル端末８０の操作部３４を操作する。すなわち、例えば、ユーザが画像処理装置６０の管理者である場合には、表示部３５は、例えば図３１に示したように、装置設定画面ＳＱＡを表示する。この場合には、ユーザは、操作部３４を操作することにより、装置設定の変更を指示する。モバイル端末８０は、装置設定の変更指示を画像処理装置６０に供給し、画像処理装置６０の装置設定管理部１５が、その指示に基づいて装置設定を変更する。このようにして、ユーザは、画像処理装置６０の装置設定を行うことができる。また、例えば、ユーザが画像処理装置６０の一般ユーザである場合には、表示部３５は、例えば図３２に示したように、設定確認画面ＳＱＢを表示する。この場合には、ユーザは、画像処理装置６０の装置設定を確認することができる。
【０２６７】
そして、ユーザが、モバイル端末８０の操作部３４を操作することにより、操作ガイドアプリケーションソフトウェア８６１の終了を指示すると、操作ガイドアプリケーションソフトウェア８６１は、ステップＳ８０５においてＲＡＭに退避された無線ネットワーク情報３３１Ａを、無線ネットワーク情報３３１として、無線ネットワーク通信部３３に再度記憶させることによりネットワーク設定を行う（ステップＳ１１６）。
【０２６８】
そして、モバイル端末８０の制御部８６は、操作ガイドアプリケーションソフトウェア８６１を終了する（ステップＳ１１７）。
【０２６９】
以上で、このシーケンスは終了する。
【０２７０】
この例では、ステップＳ８０４に示したように、履歴データベース８６３にマニュアルページＭＰのＵＲＬ情報が登録されている場合について説明したが、履歴データベース８６３にマニュアルページＭＰのＵＲＬ情報が登録されていない場合には、モバイル端末８０は、画像処理装置６０と通信を行うことにより画面識別子ＱＩＤを取得する。以下に、履歴データベース８６３にマニュアルページＭＰのＵＲＬ情報が登録されていない場合の動作について説明する。
【０２７１】
図４３Ａ，４３Ｂは、履歴データベース８６３にマニュアルページＭＰのＵＲＬ情報が登録されていない場合における情報処理システム５の一動作例を表すものである。ステップＳ１０１〜Ｓ１０３，Ｓ８０３，Ｓ８０４は、図４２と同様である。
【０２７２】
操作ガイドアプリケーションソフトウェア８６１は、ステップＳ８０４において履歴データベース８６３にマニュアルページＭＰのＵＲＬ情報が登録されていない場合には、ＮＤＥＦメッセージ領域７２１の端末情報記憶領域７２１ＡにおけるレコードＲＡ１に、表示部３５が表示しているマニュアルページＭＰのＵＲＬ情報を書き込み、レコードＲＡ２に、モバイル端末８０の端末識別情報ＩＤを書き込み、レコードＲＡ３に、端末ＯＳ情報ＩＯＳを書き込む（ステップＳ８１４）。そして、操作ガイドアプリケーションソフトウェア７６１は、そのＮＤＥＦメッセージ領域７２１の装置情報記憶領域７２１Ｂに格納された全ての情報を消去する。
【０２７３】
次に、操作ガイドアプリケーションソフトウェア７６１は、ＮＤＥＦメッセージ領域７２１の端末情報記憶領域７２１ＡにおけるレコードＲＡ１に、表示部３５が表示しているマニュアルページＭＰのＵＲＬ情報を書き込み、レコードＲＡ２に、モバイル端末７０の端末識別情報ＩＤを書き込み、レコードＲＡ３に、端末ＯＳ情報ＩＯＳを書き込む（ステップＳ７０４）。そして、操作ガイドアプリケーションソフトウェア７６１は、そのＮＤＥＦメッセージ領域７２１の装置情報記憶領域７２１Ｂに格納された全ての情報を消去する。
【０２７４】
次に、ユーザは、モバイル端末８０を、画像処理装置６０のＮＦＣリーダライタ１１にかざすと、画像処理装置６０の端末検出部２４は、モバイル端末８０を検出する（ステップＳ１０５）。そして、画像処理装置６０のＮＦＣリーダライタ１１は、近距離無線通信Ｃ１を用いて、モバイル端末８０の端末情報記憶領域７２１ＡにおけるレコードＲＡ１に格納されたマニュアルページＭＰのＵＲＬ情報、レコードＲＡ２に格納された端末識別情報ＩＤ、およびレコードＲＡ３に格納された端末ＯＳ情報ＩＯＳを読み出す（ステップＳ７０６）。
【０２７５】
次に、画像処理装置６０の制御部６３は、ステップＳ７０６で読み出した端末ＯＳ情報ＩＯＳに基づいて、設定関連ページＳＰおよび設定関連画面ＳＱのうちの一方を選択する（ステップＳ７０７）。以下では、制御部６３が設定関連画面ＳＱを選択した場合を例に、説明を行う。
【０２７６】
次に、画像処理装置６０の制御部６３は、ステップＳ７０７において端末ＯＳ情報ＩＯＳに基づいて設定関連画面ＳＱを選択した場合には、ステップＳ７０６で読み出したマニュアルページＭＰのＵＲＬ情報および端末識別情報ＩＤに基づいて、設定関連画面ＳＱの画面識別子ＱＩＤを取得する（ステップＳ７０８）。
【０２７７】
次に、画像処理装置６０のＮＦＣリーダライタ１１は、近距離無線通信Ｃ１を用いて、モバイル端末８０の装置情報記憶領域７２１ＢにおけるレコードＲＢ１に設定関連画面ＳＱの画面識別子ＱＩＤを書き込み、レコードＲＢ２〜ＲＢ５にＩＰアドレス、ＳＳＩＤ、パスワード、およびセキュリティ種別情報をそれぞれ書き込む（ステップＳ７０９）。これにより、設定関連画面ＳＱの画面識別子ＱＩＤ、ＩＰアドレス、ＳＳＩＤ、パスワード、およびセキュリティ種別情報がモバイル端末８０に供給される（ステップＳ７１０）。
【０２７８】
次に、画像処理装置６０は、ブザー音を発生させる（ステップＳ１１０）。これにより、画像処理装置６０は、ユーザに対して、モバイル端末８０をＮＦＣリーダライタ１１から外してよい旨を知らせる。これに応じて、ユーザは、モバイル端末８０を画像処理装置６０のＮＦＣリーダライタ１１から外す。
【０２７９】
モバイル端末８０の操作ガイドアプリケーションソフトウェア８６１は、モバイル端末８０がＮＦＣリーダライタ１１から外されたことを検出し、無線ネットワーク通信部３３が記憶している無線ネットワーク情報３３１を、無線ネットワーク情報３３１ＡとしてＲＡＭに一旦退避する（ステップＳ１１１）。
【０２８０】
次に、操作ガイドアプリケーションソフトウェア８６１は、装置情報記憶領域７２１ＢのレコードＲＢ２〜ＲＢ５に格納された情報（ＩＰアドレス、ＳＳＩＤ、パスワード、およびセキュリティ種別情報）に基づいてネットワーク設定を行う（ステップＳ１１２）。これにより、無線ネットワーク通信部３３は、これ以降、無線ネットワーク通信Ｃ２を用いて、画像処理装置６０と通信を行うことができるようになる。
【０２８１】
次に、モバイル端末８０の表示部３５は、装置情報記憶領域７２１ＢのレコードＲＢ１に格納された画面識別子ＱＩＤに対応する設定関連画面ＳＱを表示する（ステップＳ７１３）。
【０２８２】
次に、操作ガイドアプリケーションソフトウェア８６１は、履歴データベース８６３に、ステップＳ１０２において表示部３５が表示したマニュアルページＭＰのＵＲＬ情報、ステップＳ７１０において取得した画面識別子ＱＩＤ、ＩＰアドレス、ＳＳＩＤ、パスワード、およびセキュリティ種別情報を、互いに対応づけて登録する（ステップＳ８１５）。
【０２８３】
そして、ユーザは、モバイル端末８０の操作部３４を操作する。すなわち、例えば、ユーザが画像処理装置６０の管理者である場合には、表示部３５は、例えば図３１に示したように、装置設定画面ＳＱＡを表示する。この場合には、ユーザは、操作部３４を操作することにより、装置設定の変更を指示する。モバイル端末８０は、装置設定の変更指示を画像処理装置６０に供給し、画像処理装置６０の装置設定管理部１５が、その指示に基づいて装置設定を変更する。このようにして、ユーザは、画像処理装置６０の装置設定を行うことができる。また、例えば、ユーザが画像処理装置６０の一般ユーザである場合には、表示部３５は、例えば図３２に示したように、設定確認画面ＳＱＢを表示する。この場合には、ユーザは、画像処理装置６０の装置設定を確認することができる。
【０２８４】
そして、ユーザが、モバイル端末８０の操作部３４を操作することにより、操作ガイドアプリケーションソフトウェア８６１の終了を指示すると、操作ガイドアプリケーションソフトウェア８６１は、ステップＳ１１１においてＲＡＭに退避された無線ネットワーク情報３３１Ａを、無線ネットワーク情報３３１として、無線ネットワーク通信部３３に再度記憶させることによりネットワーク設定を行う（ステップＳ１１６）。
【０２８５】
そして、モバイル端末８０の制御部８６は、操作ガイドアプリケーションソフトウェア８６１を終了する（ステップＳ１１７）。
【０２８６】
以上で、このシーケンスは終了する。
【０２８７】
この例では、制御部６３は、ステップＳ７０７において設定関連画面ＳＱを選択したが、設定関連ページＳＰを選択した場合についても同様である。
【０２８８】
このように、情報処理システム５では、モバイル端末８０は、画像処理装置６０から画面識別子ＱＩＤを受け取る度に、マニュアルページＭＰのＵＲＬ情報とこの画面識別子ＱＩＤとを対応づけて履歴データベース８６３に登録するようにした。そして、モバイル端末８０は、これ以降、履歴データベース８６３に、表示部３５が表示しているマニュアルページＭＰのＵＲＬ情報が登録されているかどうかを確認し、そのＵＲＬ情報が登録されている場合には、このＵＲＬ情報に対応する画面識別子ＱＩＤに基づいて設定関連画面ＳＱを表示するようにした。これにより、情報処理システム５では、モバイル端末８０は、ユーザがモバイル端末８０を画像処理装置６０にかざすことなく、よく閲覧されるマニュアルページＭＰに対応する設定関連画面ＳＱを表示することができる。これにより、ユーザは、より少ない操作で、画像処理装置６０の装置設定を行い、あるいは画像処理装置６０の装置設定の確認を行うことができるので、ユーザの利便性を高めることができる。
【０２８９】
また、情報処理システム５では、モバイル端末８０は、マニュアルページＭＰのＵＲＬ情報と画面識別子ＱＩＤとを対応づけて履歴データベース８６３に登録する際に、画像処理装置６０から供給された、無線ネットワーク通信Ｃ２を用いて画像処理装置６０と通信を行う際に使用する情報であるＩＰアドレス、ＳＳＩＤ、パスワード、およびセキュリティ種別情報をも、履歴データベース８６３に登録するようにした。これにより、情報処理システム５では、モバイル端末８０は、ユーザがモバイル端末８０を画像処理装置６０にかざすことなく、よく使用する画像処理装置６０と通信を行うためのネットワーク設定を行うことができる。これにより、ユーザは、より少ない操作で、画像処理装置６０の装置設定を行い、あるいは画像処理装置６０の装置設定の確認を行うことができるので、ユーザの利便性を高めることができる。
【０２９０】
以上のように本実施の形態では、モバイル端末は、画像処理装置から画面識別子を受け取る度に、マニュアルページのＵＲＬ情報とこの画面識別子とを対応づけて履歴データベースに登録するとともに、これ以降、履歴データベースに、表示部が表示しているマニュアルページのＵＲＬ情報が登録されている場合には、このＵＲＬ情報に対応する画面識別子に基づいて設定関連画面を表示するようにしたので、ユーザの利便性を高めることができる。
【０２９１】
本実施の形態では、モバイル端末は、マニュアルページのＵＲＬ情報と画面識別子とを対応づけて履歴データベースに登録する際に、画像処理装置から供給された、無線ネットワーク通信を用いて画像処理装置と通信を行う際に使用する情報をも、履歴データベースに登録するようにしたので、ユーザの利便性を高めることができる。
【０２９２】
［変形例５−１］
上記実施の形態では、モバイル端末８０は、画像処理装置６０から設定関連画面ＳＱの画面識別子ＱＩＤを受け取る度に、マニュアルページＭＰのＵＲＬ情報とその画面識別子ＱＩＤとを対応づけて履歴データベース８６３に登録したが、これに限定されるものではない。例えば、モバイル端末８０は、画像処理装置６０から設定関連ページＳＰのＵＲＬ情報を受け取る度に、マニュアルページＭＰのＵＲＬ情報とそのＵＲＬ情報とを対応づけて履歴データベースに登録してもよい。この場合には、モバイル端末８０は、ユーザがモバイル端末８０を画像処理装置６０にかざすことなく、この履歴データベース８６３に登録されたＵＲＬ情報に対応する設定関連ページＳＰを表示することができる。
【０２９３】
＜６．第６の実施の形態＞
次に、第６の実施の形態に係る情報処理システム６について説明する。本実施の形態は、画像処理装置のモデル名およびファームウェアバージョンと、操作マニュアルが対応しているモデル名およびファームウェアバージョンとに基づいて、その操作マニュアルが画像処理装置に対応しているものであるかを判断するものである。なお、上記第４の実施の形態に係る情報処理システム４と実質的に同一の構成部分には同一の符号を付し、適宜説明を省略する。
【０２９４】
情報処理システム６は、図１に示したように、画像処理装置９０と、モバイル端末１００とを備えている。サーバ装置８により提供される、画像処理装置の操作マニュアルのマニュアルページＭＰには、その操作マニュアルが対応している画像処理装置のモデル名についての情報（モデル情報ＩＭ）およびその操作マニュアルが対応している画像処理装置のファームウェアバージョンについての情報（ファームウェア情報ＩＦＷ）を含んでいる。情報処理システム６では、モバイル端末１００は、画像処理装置９０に対して、マニュアルページＭＰのＵＲＬ情報を供給する際、モデル情報ＩＭおよびファームウェア情報ＩＦＷをも供給する。画像処理装置９０は、このモデル情報ＩＭが示すモデル名およびファームウェア情報ＩＦＷが示すファームウェアバージョンと、自身のモデル名およびファームウェアバージョンとに基づいて、その操作マニュアルが、画像処理装置９０に対応するものであるかどうかを判断するようになっている。
【０２９５】
図４４は、画像処理装置９０およびモバイル端末１００の一構成例を表すものである。
【０２９６】
画像処理装置９０は、制御部９３を有している。制御部９３は、書込制御部９６と、判断部９９とを有している。書込制御部９６は、モバイル端末１００へ情報を書き込む書込処理Ａ２を行うものである。判断部９９は、モバイル端末１００から供給されたモデル情報ＩＭが示すモデル名およびファームウェア情報ＩＦＷが示すファームウェアバージョンと、画像処理装置９０のモデル名およびファームウェアバージョンとに基づいて、その操作マニュアルが、画像処理装置９０に対応するものであるかどうかを判断するものである。
【０２９７】
モバイル端末１００は、制御部１０６と、ＮＤＥＦ記憶部１０２とを有している。
【０２９８】
制御部１０６は、操作ガイドアプリケーションソフトウェア１０６１を実行するものである。操作ガイドアプリケーションソフトウェア１０６１は、画像データベース７６２を含んでいる。
【０２９９】
ＮＤＥＦ記憶部１０２は、近距離無線通信Ｃ１を用いてやりとりする情報を記憶するものである。ＮＤＥＦ記憶部１０２には、ＮＤＥＦメッセージ領域１０２１が設けられている。
【０３００】
図４５は、ＮＤＥＦメッセージ領域１０２１の一例を表すものである。ＮＤＥＦメッセージ領域１０２１は、端末情報記憶領域１０２１Ａと、装置情報記憶領域１０２１Ｂとを含んでいる。
【０３０１】
端末情報記憶領域１０２１Ａは、アプリケーション固有情報記憶領域１０２３Ａを含んでいる。アプリケーション固有情報記憶領域１０２３ＡのレコードＲＡ１にはマニュアルページＭＰのＵＲＬ情報が格納され、レコードＲＡ２にはモバイル端末７０の端末識別情報ＩＤが格納され、レコードＲＡ３には端末ＯＳ情報ＩＯＳが格納され、レコードＲＡ４にはモデル情報ＩＭが格納され、レコードＲＡ５にはファームウェア情報ＩＦＷが格納されるようになっている。
【０３０２】
装置情報記憶領域１０２１ＢのレコードＲＢ１には、設定関連ページＳＰ（装置設定ページＳＰＡまたは設定確認ページＳＰＢ）のＵＲＬ情報または設定関連画面ＳＱ（装置設定画面ＳＱＡまたは設定確認画面ＳＱＢ）の画面識別子ＱＩＤが格納され、レコードＲＢ２にはＩＰアドレスが格納され、レコードＲＢ３にはＳＳＩＤが格納され、レコードＲＢ４にはパスワードが格納され、レコードＲＢ５にはセキュリティ種別情報が格納され、レコードＲＢ６には判断結果情報ＲＭが格納され、レコードＲＢ７には判断結果情報ＲＦＷが格納される。判断結果情報ＲＭは、画像処理装置のモデル名についての判断結果を含むものであり、判断結果情報ＲＦＷは、画像処理装置のファームウェアバージョンについての判断結果を含むものである。
【０３０３】
ここで、モデル情報ＩＭおよびファームウェア情報ＩＦＷは、本発明における「装置情報」の一具体例に対応する。
【０３０４】
図４６Ａ，４６Ｂは、情報処理システム６の一動作例を表すものである。まず、ユーザがモバイル端末１００の操作部３４を操作することにより、ブラウザソフトウェアの起動を指示すると、モバイル端末１００の表示部３５は、画像処理装置９０の操作マニュアルのトップページを表示する（ステップＳ１０１）。そして、ユーザが引き続き操作部３４を操作し、例えば操作マニュアルにおいてキーワード検索を行うことにより、装置設定の設定方法を調べる。そして、モバイル端末１００の表示部３５は、例えば図２に示したように、装置設定についてのマニュアルページＭＰを表示する（ステップＳ１０２）。
【０３０５】
次に、ユーザが操作ガイドアプリケーションソフトウェア１０６１の起動を指示すると、モバイル端末１００の制御部１０６は、操作ガイドアプリケーションソフトウェア１０６１を起動する（ステップＳ１０３）。そして、操作ガイドアプリケーションソフトウェア１０６１は、操作ガイドアプリケーションソフトウェア１０６１に対応するＮＤＥＦメッセージ領域１０２１の端末情報記憶領域１０２１Ａにおけるアプリケーション状態情報記憶領域３２２Ａに、操作ガイドアプリケーションソフトウェア１０６１がインストールされており、かつ起動されている状態を示すフラグ“１”を含むアプリケーション状態情報を記憶させる。
【０３０６】
次に、操作ガイドアプリケーションソフトウェア１０６１は、ＮＤＥＦメッセージ領域１０２１の端末情報記憶領域１０２１ＡにおけるレコードＲＡ１に、表示部３５が表示しているマニュアルページＭＰのＵＲＬ情報を書き込み、レコードＲＡ２に、モバイル端末７０の端末識別情報ＩＤを書き込み、レコードＲＡ３に端末ＯＳ情報ＩＯＳを書き込み、レコードＲＡ４にモデル情報ＩＭを書き込み、レコードＲＡ５にファームウェア情報ＩＦＷを書き込む（ステップＳ９０４）。そして、操作ガイドアプリケーションソフトウェア１０６１は、そのＮＤＥＦメッセージ領域１０２１の装置情報記憶領域１０２１Ｂに格納された全ての情報を消去する。
【０３０７】
次に、ユーザは、モバイル端末１００を、画像処理装置９０のＮＦＣリーダライタ１１にかざすと、画像処理装置９０の端末検出部２４は、モバイル端末１００を検出する（ステップＳ１０５）。そして、画像処理装置９０のＮＦＣリーダライタ１１は、近距離無線通信Ｃ１を用いて、モバイル端末１００の端末情報記憶領域１０２１ＡにおけるレコードＲＡ１に格納されたマニュアルページＭＰのＵＲＬ情報、レコードＲＡ２に格納された端末識別情報ＩＤ、レコードＲＡ３に格納された端末ＯＳ情報ＩＯＳ、レコードＲＡ４に格納されたモデル情報ＩＭ、およびレコードＲＡ５に格納されたファームウェア情報ＩＦＷを読み出す（ステップＳ９０６）。
【０３０８】
次に、画像処理装置９０の判断部９９は、モデル情報ＩＭが示すモデル名およびファームウェア情報ＩＦＷが示すファームウェアバージョンと、画像処理装置９０のモデル名およびファームウェアバージョンとに基づいて、その操作マニュアルが、画像処理装置９０に対応するものであるかどうかを判断する（ステップＳ９０７）。具体的には、判断部９９は、モデル情報ＩＭが示すモデル名に基づいて、モデル名の観点から、操作マニュアルが画像処理装置９０に対応するものであるかどうかを判断するとともに、ファームウェア情報ＩＦＷが示すファームウェアバージョンに基づいて、ファームウェアバージョンの観点から、操作マニュアルが画像処理装置９０に対応するものであるかどうかを判断する。以下では、モデル名およびファームウェアバージョンの両方について、操作マニュアルが画像処理装置９０に対応するものである場合を例に挙げて説明する。
【０３０９】
ステップＳ７０７において、判断部９９が、操作マニュアルが画像処理装置９０に対応するものであると判断した場合には、画像処理装置９０の制御部９３は、ステップＳ９０６で読み出した端末ＯＳ情報ＩＯＳに基づいて、設定関連ページＳＰおよび設定関連画面ＳＱのうちの一方を選択する（ステップＳ９０８）。以下では、制御部９３が設定関連画面ＳＱを選択した場合を例に挙げて説明する。
【０３１０】
次に、画像処理装置９０の制御部９３は、ステップＳ９０８において端末ＯＳ情報ＩＯＳに基づいて設定関連画面ＳＱを選択した場合には、ステップＳ９０６で読み出したマニュアルページＭＰのＵＲＬ情報および端末識別情報ＩＤに基づいて、設定関連画面ＳＱの画面識別子ＱＩＤを取得する（ステップＳ７０８）。
【０３１１】
次に、画像処理装置９０のＮＦＣリーダライタ１１は、近距離無線通信Ｃ１を用いて、モバイル端末１００の装置情報記憶領域１０２１ＢにおけるレコードＲＢ１に設定関連画面ＳＱの画面識別子ＱＩＤを書き込み、レコードＲＢ２〜ＲＢ５にＩＰアドレス、ＳＳＩＤ、パスワード、およびセキュリティ種別情報をそれぞれ書き込み、レコードＲＢ６に画像処理装置のモデル名についての判断結果を含む判断結果情報ＲＭを書き込み、レコードＲＢ７に画像処理装置のファームウェアバージョンについての判断結果を含む判断結果情報ＲＦＷを書き込む（ステップＳ９０９）。この判断結果情報ＲＭは、モデル名の観点から、操作マニュアルが画像処理装置９０に対応するものである旨を含んでおり、判断結果情報ＲＦＷは、ファームウェアバージョンの観点から、操作マニュアルが画像処理装置９０に対応するものである旨を含んでいる。これにより、設定関連画面ＳＱの画面識別子ＱＩＤ、ＩＰアドレス、ＳＳＩＤ、パスワード、セキュリティ種別情報、判断結果情報ＲＭ，ＲＦＷがモバイル端末１００に供給される（ステップＳ９１０）。
【０３１２】
次に、画像処理装置９０は、ブザー音を発生させる（ステップＳ１１０）。これにより、画像処理装置９０は、ユーザに対して、モバイル端末１００をＮＦＣリーダライタ１１から外してよい旨を知らせる。これに応じて、ユーザは、モバイル端末１００を画像処理装置９０のＮＦＣリーダライタ１１から外す。
【０３１３】
モバイル端末１００の操作ガイドアプリケーションソフトウェア１０６１は、モバイル端末７０がＮＦＣリーダライタ１１から外されたことを検出すると、装置情報記憶領域１０２１ＢのレコードＲＢ６，ＲＢ７に格納された情報（判断結果情報ＲＭ，ＲＦＷ）に基づいて、操作マニュアルが、画像処理装置９０に対応するものであるかどうかを確認する（ステップＳ９１１）。この例では、判断結果情報ＲＭは、モデル名の観点から、操作マニュアルが画像処理装置９０に対応するものである旨を含んでおり、判断結果情報ＲＦＷは、ファームウェアバージョンの観点から、操作マニュアルが画像処理装置９０に対応するものである旨を含んでいる。よって、操作ガイドアプリケーションソフトウェア１０６１は、操作マニュアルが画像処理装置９０に対応するものであることを確認する。
【０３１４】
このように操作マニュアルが画像処理装置９０に対応するものである場合には、操作ガイドアプリケーションソフトウェア１０６１は、無線ネットワーク通信部３３が記憶している無線ネットワーク情報３３１を、無線ネットワーク情報３３１ＡとしてＲＡＭに一旦退避する（ステップＳ９１２）。
【０３１５】
次に、操作ガイドアプリケーションソフトウェア１０６１は、装置情報記憶領域７２１ＢのレコードＲＢ２〜ＲＢ５に格納された情報（ＩＰアドレス、ＳＳＩＤ、パスワード、およびセキュリティ種別情報）に基づいてネットワーク設定を行う（ステップＳ１１２）。これにより、無線ネットワーク通信部３３は、これ以降、無線ネットワーク通信Ｃ２を用いて、画像処理装置９０と通信を行うことができるようになる。
【０３１６】
次に、モバイル端末１００の表示部３５は、装置情報記憶領域７２１ＢのレコードＲＢ１に格納された画面識別子ＱＩＤに対応する設定関連画面ＳＱを表示する（ステップＳ７１３）。
【０３１７】
そして、ユーザは、モバイル端末１００の操作部３４を操作する。すなわち、例えば、ユーザが画像処理装置９０の管理者である場合には、表示部３５は、例えば図３１に示したように、装置設定画面ＳＱＡを表示する。この場合には、ユーザは、操作部３４を操作することにより、装置設定の変更を指示する。モバイル端末１００は、装置設定の変更指示を画像処理装置６０に供給し、画像処理装置６０の装置設定管理部１５が、その指示に基づいて装置設定を変更する。このようにして、ユーザは、画像処理装置９０の装置設定を行うことができる。また、例えば、ユーザが画像処理装置９０の一般ユーザである場合には、表示部３５は、例えば図３２に示したように、設定確認画面ＳＱＢを表示する。この場合には、ユーザは、画像処理装置９０の装置設定を確認することができる。
【０３１８】
そして、ユーザが、モバイル端末１００の操作部３４を操作することにより、操作ガイドアプリケーションソフトウェア１０６１の終了を指示すると、操作ガイドアプリケーションソフトウェア１０６１は、ステップＳ１１１においてＲＡＭに退避された無線ネットワーク情報３３１Ａを、無線ネットワーク情報３３１として、無線ネットワーク通信部３３に再度記憶させることによりネットワーク設定を行う（ステップＳ１１６）。
【０３１９】
そして、モバイル端末１００の制御部１０６は、操作ガイドアプリケーションソフトウェア１０６１を終了する（ステップＳ１１７）。
【０３２０】
以上で、このシーケンスは終了する。
【０３２１】
この例では、制御部９３は、ステップＳ９０８において設定関連画面ＳＱを選択したが、設定関連ページＳＰを選択した場合についても同様である。
【０３２２】
この例では、ステップＳ９０８に示したように、操作マニュアルが画像処理装置９０に対応するものである場合について説明したが、操作マニュアルが画像処理装置９０に対応するものではない場合には、画像処理装置９０は、モバイル端末１００に対して、操作マニュアルが画像処理装置９０に対応するものではない旨を含む判断結果情報ＲＭ，ＲＦＷを供給する。以下に、操作マニュアルが画像処理装置９０に対応するものではない場合の動作について説明する。
【０３２３】
図４７Ａ，４７Ｂは、操作マニュアルが画像処理装置９０に対応するものではない場合における情報処理システム６の一動作例を表すものである。ステップＳ１０１〜Ｓ１０３，Ｓ９０４，Ｓ１０５，Ｓ９０６，Ｓ９０７は、図４６Ａと同様である。
【０３２４】
ステップＳ９０７において判断部９９が、操作マニュアルが画像処理装置９０に対応するものではないと判断した場合には、画像処理装置９０のＮＦＣリーダライタ１１は、近距離無線通信Ｃ１を用いて、モバイル端末１００の装置情報記憶領域１０２１ＢにおけるレコードＲＢ６に画像処理装置のモデル名についての判断結果を含む判断結果情報ＲＭを書き込み、レコードＲＢ７に画像処理装置のファームウェアバージョンについての判断結果を含む判断結果情報ＲＦＷを書き込む（ステップＳ９１７）。この判断結果情報ＲＭは、モデル名の観点から、操作マニュアルが画像処理装置９０に対応するものではない旨を含んでおり、判断結果情報ＲＦＷは、ファームウェアバージョンの観点から、操作マニュアルが画像処理装置９０に対応するものではない旨を含んでいる。これにより、判断結果情報ＲＭ，ＲＦＷがモバイル端末１００に供給される（ステップＳ９１８）。
【０３２５】
次に、画像処理装置９０は、ブザー音を発生させる（ステップＳ１１０）。これにより、画像処理装置９０は、ユーザに対して、モバイル端末１００をＮＦＣリーダライタ１１から外してよい旨を知らせる。これに応じて、ユーザは、モバイル端末１００を画像処理装置９０のＮＦＣリーダライタ１１から外す。
【０３２６】
モバイル端末１００の操作ガイドアプリケーションソフトウェア１０６１は、モバイル端末７０がＮＦＣリーダライタ１１から外されたことを検出すると、装置情報記憶領域１０２１ＢのレコードＲＢ６，ＲＢ７に格納された情報（判断結果情報ＲＭ，ＲＦＷ）に基づいて、操作マニュアルが、画像処理装置９０に対応するものであるかどうかを確認する（ステップＳ９１９）。この例では、判断結果情報ＲＭは、モデル名の観点から、操作マニュアルが画像処理装置９０に対応するものではない旨を含んでおり、判断結果情報ＲＦＷは、ファームウェアバージョンの観点から、操作マニュアルが画像処理装置９０に対応するものではない旨を含んでいる。よって、操作ガイドアプリケーションソフトウェア１０６１は、操作マニュアルが画像処理装置９０に対応するものではないことを確認する。
【０３２７】
このように操作マニュアルが画像処理装置９０に対応するものではない場合には、モバイル端末１００の表示部３５は、操作ガイドアプリケーションソフトウェア１０６１からの指示に基づいて、操作マニュアルが画像処理装置９０に対応するものではないため、この操作マニュアルが適切でない旨のメッセージを表示する（ステップＳ９２０）。
【０３２８】
表示部３５が表示するメッセージは、例えば、画像処理装置９０に対応する操作マニュアルのＵＲＬ情報を含んでいてもよい。ユーザが、このＵＲＬ情報が表示された部分を操作することにより、モバイル端末１００は、画像処理装置９０に対応する操作マニュアルのマニュアルページＭＰを表示してもよい。これにより、ユーザは、適切な操作マニュアルのマニュアルページＭＰを閲覧することができる。
【０３２９】
また、表示部３５が表示するメッセージは、例えば、操作マニュアルは画像処理装置９０に対応するものではないが、一部の機能を除き、その操作マニュアルを利用することができる旨のメッセージを含んでいてもよい。
【０３３０】
そして、モバイル端末１００の制御部１０６は、操作ガイドアプリケーションソフトウェア１０６１を終了する（ステップＳ１１７）。
【０３３１】
以上で、このシーケンスは終了する。
【０３３２】
図４６Ａ，４６ＢのステップＳ９０６〜Ｓ９０８，Ｓ７０８，Ｓ９０９，Ｓ９１０、および図４７ＡのステップＳ９０６，Ｓ９０７，Ｓ９１７，Ｓ９１８は、書込制御部９６の書込処理Ａ２に対応する。次に、この書込処理Ａ２について詳細に説明する。
【０３３３】
図４８Ａ〜４８Ｄは、書込制御部９６の書込処理Ａ２のサブルーチン一例を表すものである。
【０３３４】
まず、書込制御部９６は、アプリケーション識別子ＡＩＤ＝１０に対応するＮＤＥＦメッセージ領域１０２１の端末情報記憶領域１０２１ＡにおけるレコードＲＡ４に格納された情報（モデル情報ＩＭ）およびレコードＲＡ５に格納された情報（ファームウェア情報ＩＦＷ）を取得する（ステップＳ３６１）。
【０３３５】
次に、判断部９９は、ステップＳ３６１で取得したモデル情報ＩＭが示すモデル名、および画像処理装置９０のモデル名に基づいて、モデル名の観点から、操作マニュアルが画像処理装置９０に対応するものであるかどうかを判断する（ステップＳ３６２）。具体的には、判断部９９は、例えば、モデル情報ＩＭが示すモデル名と画像処理装置９０のモデル名とを比較し、これらのモデル名が互いに一致する場合に、モデル名の観点から、操作マニュアルが画像処理装置９０に対応するものであると判断する。
【０３３６】
モデル名の観点から、操作マニュアルが画像処理装置９０に対応するものである場合（ステップＳ３６３において“Ｙ”）には、次に、判断部９９は、ステップＳ３６１で取得したファームウェア情報ＩＦＷが示すファームウェアバージョン、および画像処理装置９０のファームウェアバージョンに基づいて、ファームウェアバージョンの観点から、操作マニュアルが画像処理装置９０に対応するものであるかどうかを判断する（ステップＳ３６４）。具体的には、判断部９９は、例えば、ファームウェア情報ＩＦＷが示すファームウェアバージョンと画像処理装置９０のファームウェアバージョンとを比較し、これらのファームウェアバージョンが互いに一致する場合に、ファームウェアバージョンの観点から、操作マニュアルが画像処理装置９０に対応するものであると判断する。
【０３３７】
ファームウェアバージョンの観点から、操作マニュアルが画像処理装置９０に対応するものである場合（ステップＳ３６５において“Ｙ”）には、ステップＳ３２１に進む。ステップＳ３２１〜Ｓ３３０，Ｓ３４１〜Ｓ３４８，Ｓ３３４〜Ｓ３３７については、第４の実施の形態の場合（図３８Ａ〜３８Ｃ）と同様である。
【０３３８】
そして、ステップＳ３３７（図４８Ｄ）の次に、書込制御部９６は、アプリケーション識別子ＡＩＤ＝１０に対応するＮＤＥＦメッセージ領域１０２１の装置情報記憶領域１０２１ＢにおけるレコードＲＢ６に、モデル名の観点から、操作マニュアルが画像処理装置９０に対応するものである旨の情報を含む判断結果情報ＲＭを書き込む（ステップＳ３６８）。
【０３３９】
次に、書込制御部９６は、アプリケーション識別子ＡＩＤ＝１０に対応するＮＤＥＦメッセージ領域１０２１の装置情報記憶領域１０２１ＢにおけるレコードＲＢ７に、ファームウェアバージョンの観点から、操作マニュアルが画像処理装置９０に対応するものである旨の情報を含む判断結果情報ＲＦＷを書き込む（ステップＳ３６９）。
【０３４０】
ステップＳ３６３（図４８Ａ）において、モデル名の観点から、操作マニュアルが画像処理装置９０に対応するものではない場合（ステップＳ３６３において“Ｎ”）には、アプリケーション識別子ＡＩＤ＝１０に対応するＮＤＥＦメッセージ領域１０２１の装置情報記憶領域１０２１ＢにおけるレコードＲＢ６に、モデル名の観点から、操作マニュアルが画像処理装置９０に対応するものではない旨の情報を含む判断結果情報ＲＭを書き込む（ステップＳ３６６）。そして、ステップＳ３６７に進む。
【０３４１】
ステップＳ３６３（図４８Ａ）において、ファームウェアバージョンの観点から、操作マニュアルが画像処理装置９０に対応するものではない場合（ステップＳ３６５において“Ｎ”）には、書込制御部９６は、アプリケーション識別子ＡＩＤ＝１０に対応するＮＤＥＦメッセージ領域１０２１の装置情報記憶領域１０２１ＢにおけるレコードＲＢ７に、ファームウェアバージョンの観点から、操作マニュアルが画像処理装置９０に対応するものではない旨の情報を含む判断結果情報ＲＦＷを書き込む（ステップＳ３６７）。
【０３４２】
以上で、この書込処理Ａ２のサブルーチンは終了する。
【０３４３】
このように、情報処理システム６では、画像処理装置９０は、モデル情報ＩＭに基づいて、操作マニュアルが画像処理装置９０に対応するものであるかどうかを判断するようにした。これにより、例えば、ユーザが、画像処理装置９０のモデル名とは異なるモデル名の画像処理装置の操作マニュアルを閲覧することにより、画像処理装置９０の装置設定を行う際に混乱するおそれを低減することができるので、ユーザの利便性を高めることができる。
【０３４４】
また、情報処理システム６では、画像処理装置９０は、ファームウェア情報ＩＦＷに基づいて、操作マニュアルが画像処理装置９０に対応するものであるかどうかを判断するようにした。これにより、例えば、ユーザが、画像処理装置９０のファームウェアバージョンとは異なるファームウェアバージョンの画像処理装置の操作マニュアルを閲覧することにより、画像処理装置９０の装置設定を行う際に混乱するおそれを低減することができるので、ユーザの利便性を高めることができる。
【０３４５】
以上のように本実施の形態では、画像処理装置は、モデル情報に基づいて、操作マニュアルが画像処理装置に対応するものであるかどうかを判断するようにしたので、ユーザの利便性を高めることができる。
【０３４６】
本実施の形態では、画像処理装置は、ファームウェア情報に基づいて、操作マニュアルが画像処理装置に対応するものであるかどうかを判断するようにしたので、ユーザの利便性を高めることができる。
【０３４７】
以上、いくつかの実施の形態および変形例を挙げて本技術を説明したが、本技術はこれらの実施の形態等には限定されず、種々の変形が可能である。
【０３４８】
例えば、上記の実施の形態等では、モバイル端末を画像処理装置のＮＦＣリーダライタ１１にかざすことにより、マニュアルページＭＰのＵＲＬ情報を画像処理装置に供給したが、これに限定されるものではない。これに代えて、例えば、モバイル端末の操作部３４を操作して、マニュアルページＭＰのＵＲＬ情報を画像処理装置に供給してもよい。具体的には、例えば、モバイル端末の表示部３５にボタンを表示し、ユーザがこのボタンを操作することにより、マニュアルページＭＰのＵＲＬ情報を画像処理装置に供給してもよい。この場合、近距離無線通信Ｃ１を用いてマニュアルページＭＰのＵＲＬ情報を画像処理装置に供給してもよいし、無線ネットワーク通信Ｃ２を用いてマニュアルページＭＰのＵＲＬ情報を画像処理装置に供給してもよい。
【０３４９】
例えば、上記の実施の形態等では、操作マニュアルがサーバ装置８から供給されるようにしてが、これに限定されるものではなく、これに代えて、例えば、操作マニュアルを含むアプリケーションソフトウェアをモバイル端末にインストールしてもよい。この場合には、このアプリケーションソフトウェアは、操作ガイドアプリケーションソフトウェアの機能を含むようにしてもよい。
【０３５０】
また、例えば、上記の実施の形態等では、本技術を多機能周辺装置に適用したが、これに限定されるものではなく、これに代えて、単機能のプリンタなどに適用してもよい。
【符号の説明】
【０３５１】
１〜６…情報処理システム、８…サーバ装置、９…アクセスポイント、１０，４０，５０，６０，９０…画像処理装置、１１…ＮＦＣリーダライタ、１２…有線ネットワーク通信部、１３…無線ネットワーク通信部、１４…ＷＥＢサーバ、１５…装置設定管理部、１６…操作部、１７…表示部、１８…画像読取部、１９…画像形成部、２１…ＦＡＸ通信部、２２，４２，５２，６２…情報管理部、２３，４３，５３，６３，９３…制御部、２４…端末検出部、２５…端末動作判定部、２６，４６，５６，６６，９６…書込制御部、２７…端末情報制御部、３０，７０，８０…モバイル端末、３１…ＮＦＣ通信部、３２，７２，１０２…ＮＤＥＦ記憶部、３３…無線ネットワーク通信部、３４…操作部、３５…表示部、３６，７６，８６，１０６…制御部、４８…端末識別情報記憶部、９９…判断部、２２１…無線ネットワーク情報、２２２…ユーザ情報テーブル、２２３，４２３，５２３，６２３…ＵＲＬ情報テーブル、２７１…アプリケーション識別子テーブル、３１１…アプリケーション識別子テーブル、３２１，７２１，１０２１…ＮＤＥＦメッセージ領域、３２１Ａ，７２１Ａ，１０２１Ａ…端末情報記憶領域、３２１Ｂ，７２１Ｂ，１０２１Ｂ…装置情報記憶領域、３２２Ａ…アプリケーション状態情報記憶領域、３２３Ａ，７２３Ａ，１０２３Ａ…アプリケーション固有情報記憶領域、３３１…無線ネットワーク情報、３６１，７６１，８６１，１０６１…操作ガイドアプリケーションソフトウェア、７６２…画像データベース、８６３…履歴データベース、ＡＩＤ…アプリケーション識別子、Ａ１…起動判定処理、Ａ２…書込処理、Ｃ１…近距離無線通信、Ｃ２…無線ネットワーク通信、ＩＤ…端末識別情報、ＩＦＷ…ファームウェア情報、ＩＭ…モデル情報、ＩＮＥＴ…インターネット、ＩＮＦ…階層情報、ＩＯＳ…端末ＯＳ情報、ＭＰ…マニュアルページ、ＮＥＴ…有線ネットワーク、Ｐ，Ｐ１〜Ｐ４…表示画面、ＱＩＤ…画面識別子、ＲＡ，ＲＡ１，ＲＡ２，ＲＢ，ＲＢ１〜ＲＢ５…レコード、ＲＭ，ＲＦＷ…判断結果情報、ＳＰ…設定関連ページ、ＳＰＡ…装置設定ページ、ＳＰＢ…設定確認ページ、ＳＰＣ…ジョブ設定ページ、ＳＱ…設定関連画面、ＳＱＡ…装置設定画面、ＳＱＢ…設定確認画面。
【図１】
2018206360.tif 000003
【図２】
2018206360.tif 000004
【図３】
2018206360.tif 000005
【図４】
2018206360.tif 000006
【図５】
2018206360.tif 000007
【図６】
2018206360.tif 000008
【図７】
2018206360.tif 000009
【図８】
2018206360.tif 000010
【図９】
2018206360.tif 000011
【図１０】
2018206360.tif 000012
【図１１】
2018206360.tif 000013
【図１２】
2018206360.tif 000014
【図１３】
2018206360.tif 000015
【図１４Ａ】
2018206360.tif 000016
【図１４Ｂ】
2018206360.tif 000017
【図１５】
2018206360.tif 000018
【図１６】
2018206360.tif 000019
【図１７Ａ】
2018206360.tif 000020
【図１７Ｂ】
2018206360.tif 000021
【図１８】
2018206360.tif 000022
【図１９】
2018206360.tif 000023
【図２０】
2018206360.tif 000024
【図２１】
2018206360.tif 000025
【図２２】
2018206360.tif 000026
【図２３】
2018206360.tif 000027
【図２４】
2018206360.tif 000028
【図２５】
2018206360.tif 000029
【図２６Ａ】
2018206360.tif 000030
【図２６Ｂ】
2018206360.tif 000031
【図２６Ｃ】
2018206360.tif 000032
【図２７】
2018206360.tif 000033
【図２８】
2018206360.tif 000034
【図２９】
2018206360.tif 000035
【図３０Ａ】
2018206360.tif 000036
【図３０Ｂ】
2018206360.tif 000037
【図３１】
2018206360.tif 000038
【図３２】
2018206360.tif 000039
【図３３】
2018206360.tif 000040
【図３４】
2018206360.tif 000041
【図３５】
2018206360.tif 000042
【図３６Ａ】
2018206360.tif 000043
【図３６Ｂ】
2018206360.tif 000044
【図３７Ａ】
2018206360.tif 000045
【図３７Ｂ】
2018206360.tif 000046
【図３８Ａ】
2018206360.tif 000047
【図３８Ｂ】
2018206360.tif 000048
【図３８Ｃ】
2018206360.tif 000049
【図３９】
2018206360.tif 000050
【図４０】
2018206360.tif 000051
【図４１】
2018206360.tif 000052
【図４２】
2018206360.tif 000053
【図４３Ａ】
2018206360.tif 000054
【図４３Ｂ】
2018206360.tif 000055
【図４４】
2018206360.tif 000056
【図４５】
2018206360.tif 000057
【図４６Ａ】
2018206360.tif 000058
【図４６Ｂ】
2018206360.tif 000059
【図４７Ａ】
2018206360.tif 000060
【図４７Ｂ】
2018206360.tif 000061
【図４８Ａ】
2018206360.tif 000062
【図４８Ｂ】
2018206360.tif 000063
【図４８Ｃ】
2018206360.tif 000064
【図４８Ｄ】
2018206360.tif 000065